(57)【特許請求の範囲】
【請求項１】
遊技盤を枠体に搭載してなる遊技機本体と、
前記遊技機本体により回動可能に支持され、当該遊技機本体を遊技機前方から覆う扉体と、
前記遊技盤の前面から前方へ起立して設けられ、前記遊技盤の前面に遊技領域及びその遊技領域へ遊技球を誘導する誘導部を、当該誘導部が当該遊技領域よりも前記扉体の回動基端部寄りとなるようにして区画形成する内レール部及び外レール部と、
前記遊技盤に設けられ、前記外レール部において少なくとも前記誘導部を区画形成している部分を当該誘導部とは反対側から覆うカバー部と、
前記扉体に設けられ、前記遊技盤の前面に対して前記遊技領域を隔てて対向し、前記遊技領域が視認可能となるように形成されたパネル部と
を備え、
前記カバー部は、前記外レール部に前記誘導部とは反対側から対向する壁部と、前記壁部から前記誘導部の前方へ延びる遊技盤側規制部とを有し、
前記パネル部は、前記扉体が閉位置へ移動することにより、前記誘導部と前記遊技盤側規制部との間に挿入される扉体側規制部を有し、
前記扉体が閉位置に配置された状態にて、前記遊技盤側規制部に前記扉体側規制部が後方から当接することにより前記遊技盤と前記パネル部との隙間の拡がりが規制されることを特徴とする遊技機。
【発明の詳細な説明】
【技術分野】
【０００１】
本発明は、遊技機に関するものである。
【背景技術】
【０００２】
パチンコ機等の遊技機には、遊技盤を枠体に搭載してなる遊技機本体と、その遊技機本体に取り付けられているとともに同遊技機本体を前面側から覆う扉体とを備えているものがある。扉体には遊技盤の前面と対向するパネル部材が配設されており、それら遊技盤とパネル部材との間に形成された遊技領域が同パネル部材を通して視認可能となっている。パネル部材は、例えば遊技球の直径寸法よりも若干大きな隙間を隔てて遊技盤の前面と対向しており、上記遊技領域での遊技球の流下が担保されている。
【０００３】
遊技領域には入賞口や入賞装置等の各種構成が設けられている。遊技者により遊技球発射ハンドルが操作されると遊技球が遊技領域に向けて発射され、それら遊技球が入賞口や入賞装置等に入賞した場合には予め設定された個数の遊技球が払い出される（例えば特許文献１参照）。
【先行技術文献】
【特許文献】
【０００４】
【特許文献１】特開２００８−１０４４６８号公報
【発明の概要】
【発明が解決しようとする課題】
【０００５】
上述の如く遊技盤とパネル部材との間に遊技領域が形成されているタイプの遊技機においては、遊技領域内での遊技球の挙動によって有利不利が決定されるため、それら遊技盤とパネル部材との位置関係がばらついたり変化したりすることは好ましくない。
【０００６】
本発明は、上記例示した事情等に鑑みてなされたものであり、遊技盤とパネル部材との位置関係を好適に維持することができる遊技機を提供することを目的とするものである。
【課題を解決するための手段】
【０００７】
以下、上記課題を解決するための手段について記載する。
【０００８】
請求項１に記載の発明は、
遊技盤を枠体に搭載してなる遊技機本体と、
前記遊技機本体により回動可能に支持され、当該遊技機本体を遊技機前方から覆う扉体と、
前記遊技盤の前面から前方へ起立して設けられ、前記遊技盤の前面に遊技領域及びその遊技領域へ遊技球を誘導する誘導部を、当該誘導部が当該遊技領域よりも前記扉体の回動基端部寄りとなるようにして区画形成する内レール部及び外レール部と、
前記遊技盤に設けられ、前記外レール部において少なくとも前記誘導部を区画形成している部分を当該誘導部とは反対側から覆うカバー部と、
前記扉体に設けられ、前記遊技盤の前面に対して前記遊技領域を隔てて対向し、前記遊技領域が視認可能となるように形成されたパネル部と
を備え、
前記カバー部は、前記外レール部に前記誘導部とは反対側から対向する壁部と、前記壁部から前記誘導部の前方へ延びる遊技盤側規制部とを有し、
前記パネル部は、前記扉体が閉位置へ移動することにより、前記誘導部と前記遊技盤側規制部との間に挿入される扉体側規制部を有し、
前記扉体が閉位置に配置された状態にて、前記遊技盤側規制部に前記扉体側規制部が後方から当接することにより前記遊技盤と前記パネル部との隙間の拡がりが規制されることを特徴とする。
【発明の効果】
【０００９】
遊技盤とパネル部材との位置関係を好適に維持することができる。
【図面の簡単な説明】
【００１０】
【図１】一実施の形態におけるパチンコ機を示す正面図である。
【図２】パチンコ機の主要な構成を展開して示す斜視図である。
【図３】前扉枠の構成を示す背面図である。
【図４】前扉枠の構成を示す分解斜視図である。
【図５】内枠の構成を示す正面図である。
【図６】遊技盤の構成を示す正面図である。
【図７】内枠の構成を示す背面図である。
【図８】遊技盤の背面構成を示す斜視図である。
【図９】パチンコ機の構成を示す背面図である。
【図１０】裏パックユニットの構成を示す正面図である。
【図１１】内枠から遊技盤を取り外した状態を示す正面斜視図である。
【図１２】図５のＡ−Ａ線部分断面図である。
【図１３】開放された前扉枠と遊技盤及び挿入部との位置関係を示す概略図である。
【図１４】図６の部分拡大図である。
【図１５】第２レールカバーの正面斜視図である。
【図１６】第２レールカバーとガラスユニットとの位置関係を示す概略図である。
【図１７】図１のＢ−Ｂ線部分断面図である。
【図１８】遊技盤とガラスユニットとの位置関係を示す概略図である。
【図１９】遊技盤の取外作業を説明するための概略図である。
【図２０】遊技盤の装着作業を説明するための概略図である。
【図２１】遊技盤の装着作業を説明するための概略図である。
【図２２】パチンコ機の電気的構成を示すブロック図である。
【図２３】（ａ）ガラスユニットの取付構造の変形例を示す概略図、（ｂ）ガラスパネルの保持構造の変形例を示す概略図である。
【発明を実施するための形態】
【００１１】
以下、遊技機の一種であるパチンコ遊技機（以下、「パチンコ機」という）の一実施の形態を、図面に基づいて詳細に説明する。図１はパチンコ機１０の正面図、図２はパチンコ機１０の主要な構成を展開して示す斜視図である。なお、図２では便宜上パチンコ機１０の遊技領域内の構成を省略している。
【００１２】
図１に示すように、パチンコ機１０は、当該パチンコ機１０の外殻を形成する外枠１１と、この外枠１１に取り付けられた遊技機主部１２とを有している。
【００１３】
外枠１１は木製の板材を四辺に連結し構成されるものであって矩形枠状をなしている。パチンコ機１０は、外枠１１を島設備に取り付け固定することにより、遊技場の島設備に設置される。なお、パチンコ機１０において外枠１１は必須の構成ではなく、遊技場の島設備に外枠１１が備え付けられた構成としてもよい。
【００１４】
この外枠１１によって遊技機主部１２が開閉可能な状態で支持されている。具体的には、図１に示すように、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１５】
図２に示すように、遊技機主部１２は、ベース体としての内枠１３と、その内枠１３の前方に配置される前扉枠１４と、内枠１３の後方に配置される裏パックユニット１５（図３参照）とを備えている。なお、遊技機主部１２のうち内枠１３が外枠１１に対して回動可能に支持されている。
【００１６】
内枠１３には、図２に示すように、前扉枠１４が回動可能に支持されており、正面視で左側を回動基端側とし右側を回動先端側として前方へ回動可能とされている。また、内枠１３には、図３に示すように、裏パックユニット１５が回動可能に支持されており、正面視で左側を回動基端側とし右側を回動先端側として後方へ回動可能とされている。
【００１７】
次に、前扉枠１４について説明する。なお、以下の説明では、図１及び図２を参照するとともに、前扉枠１４の背面の構成については図３及び図４を参照する。図３は前扉枠１４の背面図、図４は前扉枠１４の分解斜視図である。
【００１８】
図２に示すように、前扉枠１４は、外形が外枠１１とほぼ同一形状をなす合成樹脂製の枠体２０を主体に構成されており、内枠１３における前面側のほぼ全域を覆っている。枠体２０の中央部分には後述する遊技領域ＰＥのほぼ全域を前方から視認することができるようにした略楕円状の窓部２１が形成されており、その窓部２１はガラスユニット３０によって同前扉枠１４の背面側から覆われている（図３参照）。
【００１９】
図４に示すように、枠体２０には窓部２１を囲むようにしてガラスユニット設置部２２が形成されている。詳しくは、ガラスユニット設置部２２は、枠体２０の背面側に配されているとともにパチンコ機１０の前方に向けて凹んでおり、その底部に上記窓部２１が配設されている。ガラスユニット３０は、ガラスユニット設置部２２に嵌まることで上下方向及び左右方向への変位が規制されている。
【００２０】
ガラスユニット３０は、透明性を有するガラスパネル３１，３２と、それらガラスパネル３１，３２を保持するガラスホルダ３３とを備えている。ガラスホルダ３３は、窓部２１に沿って形成された環状の枠部３４を有しており、同枠部３４によって囲まれた領域にガラスパネル３１，３２が収容されている。
【００２１】
枠部３４には、ガラスパネル３１，３２を収容している側とは反対側に突出するようにして枠体２０に対する取付部３５が複数形成されている。取付部３５は枠体２０の背面に対向する板状をなしており、枠体２０には、これら取付部３５を同枠体２０との間に挟んで挟持するレバー部材２３が設けられている。レバー部材２３は、取付部３５を挟持する挟持位置と挟持しない解除位置とに回動可能な状態で取り付けられている。レバー部材２３において取付部３５と対向している部分には同取付部３５側に突出する凸部が形成されており、同凸部が取付部３５に形成された凹部に嵌まることにより、上記挟持位置から解除位置への移動が規制された状態、すなわち挟持位置にて保持された状態となっている。
【００２２】
また、枠部３４には、上記囲まれた領域を前後に仕切る仕切り部３６が形成されている。仕切り部３６は、枠部３４の中央側へ起立しており、当該枠部３４の周方向に延びる突条をなしている。つまり、仕切り部３６によってガラスパネルを収容する収容部３７，３８が区画されている。
【００２３】
各ガラスパネル３１，３２は、収容部３７，３８に収容され仕切り部３６を挟んで相対向した状態で、同仕切り部３６に対して接着されている。これにより、ガラスパネル３１，３２の間に所定の隙間が確保され、両ガラスパネル３１，３２同士の干渉を回避しつつ、それらガラスパネル３１，３２によって遊技領域ＰＥをパチンコ機１０の正面側から２重に覆った状態となっている。
【００２４】
再び図１を参照して説明すれば、窓部２１の周囲には各種ランプ等の発光手段が設けられている。例えば、窓部２１の周縁に沿ってＬＥＤ等の発光手段を内蔵した環状電飾部２４が設けられている。環状電飾部２４では、大当たり時や所定のリーチ時等における遊技状態の変化に応じて点灯や点滅が行われる。また、環状電飾部２４の中央であってパチンコ機１０の最上部には所定のエラー時に点灯するエラー表示ランプ部２５が設けられ、窓部２１の左右両側には賞球払出中に点灯する賞球ランプ部２６が設けられている。また、中央のエラー表示ランプ部２５に近接した位置には、遊技状態に応じた効果音などが出力されるスピーカ部２７が設けられている。
【００２５】
前扉枠１４における窓部２１の下方には、手前側へ膨出した上側膨出部２８と下側膨出部２９とが上下に並設されている。上側膨出部２８内側には上方に開口した上皿２８ａが設けられており、下側膨出部２９内側には同じく上方に開口した下皿２９ａが設けられている。上皿２８ａは、後述する払出装置より払い出された遊技球を一旦貯留し、一列に整列させながら後述する遊技球発射機構側へ導く機能を有している。また、下皿２９ａは、上皿２８ａ内にて余剰となった遊技球を貯留する機能を有している。
【００２６】
下側膨出部２９並びとなる位置には、手前側へ突出するようにして遊技球発射ハンドル４１が設けられている。遊技球発射ハンドル４１が操作されることにより、後述する遊技球発射機構から遊技球が発射される。
【００２７】
前扉枠１４の背面には、図２及び図３に示すように、通路形成ユニット５０が取り付けられている。通路形成ユニット５０は、合成樹脂により成形されており、上皿２８ａに通じる前扉側上皿通路５１と、下皿２９ａに通じる前扉側下皿通路５２とが形成されてなる。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿２８ａに導かれ、前扉側下皿通路５２に入った遊技球は下皿２９ａに導かれる。
【００２８】
次に、図５に基づき内枠１３について詳細に説明する。図５は内枠１３の正面図である。なお、図５においては、図２と同様にパチンコ機１０の遊技領域内の構成を省略している。
【００２９】
内枠１３は、外形が外枠１１とほぼ同一形状をなす樹脂ベース７０を主体に構成されている。樹脂ベース７０の前面における回動基端側（図５の左側）には、その上端部及び下端部に支持金具７１，７２が取り付けられている。また、前扉枠１４の背面における回動基端側（図３の右側）には、それら支持金具７１，７２に対応させて突起軸６１，６２が設けられている。図示は省略するが、支持金具７１，７２には軸孔が形成されており、それら軸孔に前扉枠１４の突起軸６１，６２が挿入されることにより、内枠１３に対して前扉枠１４が回動可能に支持されている。つまり、これら支持金具７１，７２及び突起軸６１，６２は内枠１３に対する組付機構を構成している。
【００３０】
内枠１３の前面には施錠装置７５が設けられている。施錠装置７５は、前扉枠１４に向けて延びる複数の前扉用鉤部材７６を有している。これら前扉用鉤部材７６に対応させて、前扉枠１４の背面には内枠１３側に延びる鉤受け部材６３が複数設けられている。前扉用鉤部材７６が鉤受け部材６３に引っ掛かることにより前扉枠１４が閉じた状態で施錠される。また、施錠装置７５は、内枠１３の後方へ延びる内枠用鉤部材７７を有している。これら内枠用鉤部材７７が外枠１１の鉤受け部材１９に引っ掛かることにより遊技機主部１２が外枠１１に対して閉じた状態で施錠される。
【００３１】
樹脂ベース７０の右下隅部には、施錠装置の解錠操作を行うためのシリンダ錠７８が設置されている。シリンダ錠７８は施錠装置に一体化されており、その先端部分（鍵穴部分）が上記前扉枠１４に設けられた孔部を通じてパチンコ機１０の前方に露出している。シリンダ錠７８の鍵穴に差し込んだキーを右に回すことで内枠１３に対する前扉枠１４の施錠が解除され、同キーを左に回すことで外枠１１に対する内枠１３の施錠が解除される。
【００３２】
樹脂ベース７０前面の略中央部分には、遊技盤８０を収容する遊技盤収容部７３が形成されている。遊技盤収容部７３は、パチンコ機１０の後方に凹み、遊技盤８０を収容する収容空間を区画しており、樹脂ベース７０に取り付けられた遊技盤８０がその収容空間に嵌まった状態となっている。本実施の形態においては特に、遊技盤８０が樹脂ベース７０に対して着脱可能に取り付けられており、メンテナンス作業等の容易化が図られている。
【００３３】
遊技盤８０は、木製の合板と同合板における前側の板面を覆うシート材とを有してなり、その前面が遊技盤収容部７３の開放部分を通じて樹脂ベース７０の正面側に露出している。この露出している部位、すなわち遊技盤８０の前面には、遊技球が流下する遊技領域ＰＥが形成されている。既に説明したように遊技領域ＰＥはガラスパネル３２によって覆われている。ガラスパネル３２は、遊技盤８０の前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０は木製に限定されるのものではなく、合成樹脂材料を用いて形成することも可能である。
【００３４】
以下、図６に基づき遊技盤８０（特に遊技領域ＰＥに配された各種構成）について説明する。図６は遊技盤８０の正面図である。
【００３５】
遊技盤８０には、ルータ加工が施されることによって自身の厚さ方向（前後方向）に貫通する大小複数の開口が形成されている。各開口には、一般入賞口８１、可変入賞装置８２、作動口８３ａ，８３ｂ、スルーゲート８４及び可変表示ユニット８５等がそれぞれ設けられている。一般入賞口８１、可変入賞装置８２及び作動口８３ａ，８３ｂに遊技球が入ると、それら遊技球が後述する検知スイッチにより検知され、その検知結果に基づいて所定数の賞球の払い出しが実行される。その他に、遊技盤８０の最下部にはアウト口８６が設けられており、各種入賞口等に入らなかった遊技球はアウト口８６を通って遊技領域ＰＥから排出される。
【００３６】
また、遊技盤８０には、遊技球の流下経路を適宜分散，調整等するために多数の釘８７が植設されているとともに、風車等の各種部材（役物）が配設されている。これら釘８７や風車等の各種構成によって、遊技球の流下経路が分化され、上述した一般入賞口８１等への入賞が適度な確立で発生するように調整されている。
【００３７】
可変入賞装置８２は、通常は遊技球が入賞できない又は入賞し難い閉状態になっており、大当たりの際に遊技球が入賞しやすい所定の開放状態に切り換えられるようになっている。可変入賞装置８２の開放態様としては、所定時間（例えば３０秒間）の経過又は所定個数（例えば１０個）の入賞を１ラウンドとして、同可変入賞装置８２の開放が複数ラウンド（例えば１５ラウンド）を上限として繰り返されるように設定されている。
【００３８】
可変表示ユニット８５は遊技盤８０の中央上寄りに配置されており、その下方に作動口８３ａ，８３ｂが配置されている。より詳しくは、作動口８３ａ，８３ｂは、作動口８３ａを上側、作動口８３ｂを下側として上下に並設されている。可変表示ユニット８５及び作動口８３ａ，８３ｂは、遊技性を司る部位であり遊技者の注意が集まりやすい。それら可変表示ユニット８５及び作動口８３ａ，８３ｂを遊技機中央において上下に並べて配置することで両者間での視線の移動量を抑え、遊技者の目に生じる負担の低減に貢献している。
【００３９】
可変表示ユニット８５は、作動口８３ａ，８３ｂへの入賞をトリガとして図柄を可変表示する図柄表示装置９４を備えている。図柄表示装置９４は、液晶ディスプレイ（表示画面９４ａ）を備えた液晶表示装置として構成されており、後述する表示制御装置によりその表示内容が制御されている。具体的には、表示画面９４ａにおいては、上段，中段及び下段に並べて図柄が表示され、これらの図柄が左右方向にスクロールされるようにして変動表示される。そして、大当たり発生時には、予め設定されている有効ライン上に所定の組合せの図柄が停止表示され、特別遊技状態へと移行される。なお、表示画面９４ａにおける表示態様を以下のように変更してもよい。すなわち、左，中及び右に並べて図柄を表示し、それら図柄を上下スクロールさせるようにして変動表示させてもよい。
【００４０】
また、可変表示ユニット８５は、図柄表示装置９４を囲むようにして形成されたセンターフレーム９５を備えている。センターフレーム９５の上部には、第１特定ランプ部９６及び第２特定ランプ部９７が設けられている。また、センターフレーム９５の上部及び下部にはそれぞれ保留ランプ部９８，９９が設けられている。下側の保留ランプ部９８は、図柄表示装置９４及び第１特定ランプ部９６に対応しており、遊技球が作動口８３を通過した回数は最大４回まで保留され保留ランプ部９８の点灯によってその保留個数が表示されるようになっている。上側の保留ランプ部９９は、第２特定ランプ部９７に対応しており、遊技球がスルーゲート８４を通過した回数は最大４回まで保留され保留ランプ部９９の点灯によってその保留個数が表示されるようになっている。
【００４１】
再び図５を用いて説明すれば、樹脂ベース７０における遊技盤収容部７３（遊技盤８０）の下方には、遊技球発射ハンドル４１の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が樹脂ベース７０に対してネジ止めされることで内枠１３に対して一体化されている。
【００４２】
発射レール１１２は、遊技盤８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパ１１５が配されている。球ストッパ１１５よりも更に下流側となる位置に、上記ソレノイド１１１が配置されている。
【００４３】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０側、詳しくは遊技盤８０に装着された誘導レール１００に向けて打ち出される。
【００４４】
誘導レール１００は、後述する遊技領域区画部材１０８と共に遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技盤８０において出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００４５】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００４６】
同図５に示すように、誘導レール１００及び発射レール１１２は、同誘導レール１００の入口部分１０４と発射レール１１２の先端部分とが遊技盤８０の下端縁を挟んで斜めに対峙するように配置されている。つまり、それら両レール１００，１１２は、同誘導レール１００の入口部分１０４と発射レール１１２の先端部分とが遊技盤８０の下端縁近傍にて左右にずれるようにして配置されている。これにより両レール１００，１１２を遊技盤８０の下端縁に近づけつつ、誘導レール１００の入口部分１０４と発射レール１１２との間には所定間隔の隙間を形成している。
【００４７】
このようにして形成された隙間よりも下側にはファール球通路５５が配設されている。ファール球通路５５は前扉枠１４の通路形成ユニット５０に一体成形されている。仮に遊技球発射機構１１０から発射された遊技球が遊技領域ＰＥまで至らずファール球として誘導通路１０３内を逆戻りする場合には、それらファール球が上記隙間を介してファール球通路５５内に入ることとなる。ファール球通路５５は前扉側下皿通路５２に通じており、ファール球通路５５に入った遊技球は図１に示した下皿２９ａに排出される。これにより、ファール球と次に発射される遊技球との干渉が抑制される。
【００４８】
また、樹脂ベース７０には、遊技盤収容部７３からの遊技盤８０の取り外しを不可とするロック状態と、同遊技盤８０の取り外しを許容するアンロック状態とに切替可能なロック装置７９が複数設けられている。ロック装置７９はロック状態にて遊技盤８０の前面に当接する当接部を有しており、同当接部が遊技盤８０の前面に当接することによって遊技盤８０の前扉枠１４側への変位が抑えられることとなる。なお、ロック装置７９による遊技盤の保持強度は、ガラスユニット３０を枠体２０に固定するレバー部材２３の保持強度よりも高くなるように設定されている。
【００４９】
樹脂ベース７０において発射レール１１２の左方（詳しくは前扉枠１４を支持している側）には、樹脂ベース７０を前後方向に貫通する貫通孔に通路形成部材１２１が配設されている。通路形成部材１２１は、樹脂ベース７０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている（図５参照）。
【００５０】
樹脂ベース７０において通路形成部材１２１の下方には、本体側上皿通路１２２及び本体側下皿通路１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能な状態で樹脂ベース７０によって支持されている。また、樹脂ベース７０にはシャッタ１２４を阻止位置に向けて付勢する付勢部材が取り付けられており、前扉枠１４を内枠１３に対して開いた状態では付勢部材の付勢力によってシャッタ１２４が阻止位置に留まる構成となっている。これにより、本体側上皿通路１２２又は本体側下皿通路１２３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた受口部５３により上記付勢力に抗してシャッタ１２４が許容位置に押し戻される。この状態では、本体側上皿通路１２２及び前扉側上皿通路５１と、本体側下皿通路１２３及び前扉側下皿通路５２とがそれぞれ連通し、遊技球の移動が許容されることとなる。
【００５１】
次に、図７に基づき内枠１３（樹脂ベース７０及び遊技盤８０）の背面構成について説明する。図７は内枠１３の背面図である。
【００５２】
樹脂ベース７０の背面における回動基端側（図７の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、樹脂ベース７０の背面には、裏パックユニット１５を内枠１３に固定するための固定レバー１３４が複数設けられている。
【００５３】
樹脂ベース７０における遊技盤収容部７３の底部分（後述する対向板部２５１）には樹脂ベース７０の厚さ方向に貫通し同樹脂ベース７０の背面側に開放された中央開口７４が形成されており、その中央開口７４が遊技盤収容部７３に収容された遊技盤８０によって内枠１３の正面側から覆われている。遊技盤８０の背面には制御装置等の各種構成が搭載されており、それら各種構成は中央開口７４を通じて内枠１３の背側に露出した状態となっている。ここで、図８に基づき遊技盤８０の背面の構成について詳細に説明する。図８は遊技盤８０を後方から見た斜視図である。
【００５４】
遊技盤８０の背面には、可変表示ユニット８５を遊技盤８０に対して搭載する合成樹脂製の台座部材１４１が固定されている。台座部材１４１は、遊技盤８０側に開放された略箱状をなしており遊技盤８０の背面のほぼ全域を覆っている。台座部材１４１の一部は樹脂ベース７０の中央開口７４を通じて同樹脂ベース７０の背面側に突出しており、その突出した部分に対して上述した図柄表示装置９４と、その図柄表示装置９４を駆動するための表示制御装置とが取り付けられている。これら図柄表示装置９４及び表示制御装置は前後方向（樹脂ベース７０の厚さ方向）に図柄表示装置が前側且つ表示制御装置が後側となるように重ねて配置されている。さらに、遊技盤８０には、表示制御装置の後方に位置するようにして音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００５５】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００５６】
音声ランプ制御装置ユニット１４２の下方には、台座部材１４１を後方から覆うようにして主制御装置ユニット１６０が設けられている。主制御装置ユニット１６０は、遊技盤８０の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００５７】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００５８】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００５９】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００６０】
台座部材１４１において遊技盤８０の背面と対向している部分には、前記一般入賞口８１，可変入賞装置８２，上作動口８３ａ，下作動口８３ｂの遊技盤開口部に対応し且つ下流側で１カ所に集合する回収通路が形成されている。これにより、一般入賞口８１等に入賞した遊技球は何れも回収通路を介して遊技盤８０の下方に集合する構成となっている。つまり、台座部材１４１には各種入賞口に入賞した遊技球を回収する機能が付与されている。
【００６１】
遊技盤８０の下方には後述する排出通路が配されており、回収通路によって遊技盤８０の下方に集合した遊技球は排出通路内に導出される。なお、アウト口８６についても同様に排出通路に通じており、何れの入賞口にも入賞しなかった遊技球はアウト口８６を介して排出通路内に導出される。
【００６２】
また、上記回収通路には、遊技盤８０表側の一般入賞口８１に入賞した遊技球を検知する入賞口スイッチと、可変入賞装置８２に入賞した遊技球を検知するカウントスイッチと、作動口８３ａ，８３ｂに入った遊技球を検知する作動口スイッチとが装着されており、それら各種スイッチによって入賞検知機構が構成されている。更に、台座部材１４１において可変表示ユニット８５の左右両側には、スルーゲート８４を通過する遊技球を検知するゲートスイッチが設けられている。これら各種スイッチは主制御装置１６２に対して電気的に接続されており、各スイッチによる検知情報が同主制御装置１６２に出力される構成となっている。
【００６３】
次に、図９及び図１０に基づき裏パックユニット１５について説明する。図９はパチンコ機１０の背面図、図１０は裏パックユニット１５の正面図である。
【００６４】
図９に示すように、内枠１３は裏パックユニット１５によって後方から覆われている。裏パックユニット１５は、裏パック２０１を備えており、当該裏パック２０１に対して、払出機構部２０２、排出通路盤及び制御装置集合ユニット２０４が取り付けられている。
【００６５】
裏パック２０１は透明性を有する合成樹脂により成形されており、図１０に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８５を囲むのに十分な大きさを有する（図９参照）。
【００６６】
ベース部２１１には、その右上部に外部端子板（図示略）が設けられている。外部端子板には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部２１５が形成されており、固定レバー１３４が挿通部２１５に挿通された状態にてベース部２１１に後方から当接することにより内枠１３に対して裏パックユニット１５が固定されている。
【００６７】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００６８】
遊技球分配部２２５は、払出装置２２４より払い出された遊技球を上皿２８ａ、下皿２９ａ又は後述する排出通路の何れかに振り分けるための機能を有し、内側の開口部が上述した本体側上皿通路１２２及び前扉側上皿通路５１を介して上皿２８ａに通じ、外側の開口部が本体側下皿通路１２３及び前扉側下皿通路５２を介して下皿２９ａに通じるように形成されている（図７及び図１４参照）。
【００６９】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００７０】
図１０に示すように、制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００７１】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００７２】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【００７３】
（遊技盤８０の取付構造）
ここで、図５，図１１及び図１２に基づき遊技盤８０の取付構造について説明する。図１１は内枠１３から遊技盤８０を取り外した状態を示す斜視図、図１２は図５のＡ−Ａ線部分断面図である。
【００７４】
遊技盤８０は、既に説明したように内枠１３の遊技盤収容部７３に対して同内枠１３の正面側から嵌まっている（図５参照）。図１１に示すように、遊技盤収容部７３は、遊技盤８０の背面に対向する平板状の対向板部２５１と、同対向板部２５１から起立し遊技盤８０の周縁に沿って延びる周壁部２６１とによって構成されている。対向板部２５１は、その略中央に上述した中央開口７４が形成されており、内枠１３の正面視において略矩形枠状をなしている。周壁部２６１は、遊技盤８０における上下左右の各端面に対して個々に対向する上側壁部２６２，下側壁部２６３，左側壁部２６４，右側壁部２６５が連なってなり、全体として遊技盤８０を囲む環状をなしている。なお、周壁部２６１は中央開口７４を囲むようにして形成されているとも言える。
【００７５】
内枠１３の左側壁部２６４、すなわち前扉枠１４を支持している側の壁部２６４には、遊技盤８０の前方への変位を抑える複数のストッパ部２７１が設けられている。各ストッパ部２７１は、左側壁部２６４の内壁面から遊技盤収容部７３側へ張り出しており、遊技盤８０（詳しくは後述する第２レールカバー４００）に対してパチンコ機１０の前方から当接している。また、各ストッパ部２７１は、遊技盤収容部７３内に収められており、前扉枠１４側への突出が抑えられている。
【００７６】
それらストッパ部２７１は、遊技盤８０の上端寄り及び下端寄りとなる位置に配置されており、遊技盤８０の変位をバランスよく抑えることが可能となっている。ストッパ部２７１の配置に関して補足すれば、上端寄りのストッパ部２７１Ｕは、上記誘導レール１００において遊技盤８０の回動基端側に凸となっている部分よりも上側に配置されており、下端寄りのストッパ部２７１Ｌは同凸となっている部分よりも下側に配置されている。これにより、ストッパ部２７１及び誘導レール１００を遊技盤８０の前面側にて好適に共存させ、ストッパ部２７１の採用に起因した遊技領域ＰＥの圧迫を抑制している。
【００７７】
内枠１３には、左側壁部２６４の先端縁に沿うようにして金属製のプレート部材２８１が配設されている。プレート部材２８１は、内枠１３の上側枠部１３ａ及び下側枠部１３ｂの両枠部に跨って延びる長尺状をなしており、同プレート部材２８１の両端部分が内枠１３の左側枠部１３ｃに対して固定（ネジ止め）されているとともに、同プレート部材２８１の中間部分が上述したストッパ部２７１に対して固定（ネジ止め）されている。これにより、内枠１３において外枠１１や前扉枠１４に連結されている部分を補強し、更にはストッパ部２７１の変形を抑制している。
【００７８】
以上詳述したストッパ部２７１と対向板部２５１とによって、遊技盤８０の一側部を挿入可能な挿入部２９０が構成されている（図１２参照）。挿入部２９０は、前扉枠１４の回動基端側に位置し、内枠１３において同前扉枠１４を支持している側とは反対側からの遊技盤８０の挿入を許容すべく同内枠１３の回動先端側（右側壁部２６５側）に開放されている。特にストッパ部２７１と対向板部２５１（詳しくは後述するリブを除いた部分）との隙間寸法は、遊技盤８０の厚さ寸法よりも大きく設定されている。これにより、遊技盤８０を挿入部２９０に対して斜め前方から挿入可能とするとともに、同挿入部２９０に挿入された遊技盤８０を当該挿入部２９０を中心として回動可能としている。また、挿入部２９０の挿入口を斜め前方に向けることにより、遊技盤挿入時に遊技盤８０が前扉枠１４の後方への張出部分や内枠１３の右側枠部１３ｄ（図１１参照）等に干渉することを抑制している。
【００７９】
なお、ストッパ部２７１の先端部において遊技盤８０と対向している部位には面取りが施されており、挿入部２９０の入口部分が拡張されている。これにより、上記隙間寸法を大きくし、遊技盤８０を斜めに挿入する際のストッパ部２７１と遊技盤８０との引っ掛かりを抑制している。
【００８０】
挿入部２９０（ストッパ部２７１群）の下方、詳しくは内枠１３において左側壁部２６４と下側壁部２６３とが交わる位置には（図１１参照）、挿入部２９０に挿入された遊技盤８０を仮置き可能な仮置き部１２５が設けられている。仮置き部１２５は、上記通路形成部材１２１に形成され、挿入部２９０側（上方）を向く面状をなしている。なお、仮置き部１２５は、必ずしも通路形成部材１２１に形成する必要はなく、樹脂ベース７０に形成することも可能である。
【００８１】
仮置き部１２５は、遊技盤収容部７３の下側壁部２６３よりも上側に位置しているとともに、遊技盤８０の下端部に対して対向している。一方、遊技盤８０における回動基端側の下隅部にはこの仮置き部１２５に対応した切欠き部８８が形成されている（図６参照）。遊技盤８０を挿入部２９０に挿入し回動させる場合には、この仮置き部１２５に対して遊技盤８０の切欠き部８８が仮置き（一時的に載置）されることで同遊技盤８０の重量の少なくとも一部が内枠１３の樹脂ベース７０によって支えられることとなる。これにより、遊技盤８０を装着する際の作業負担を減らし、遊技盤８０の回動操作の容易化を図っている。
【００８２】
また、仮置き部１２５は、挿入部２９０によりも同挿入部２９０の開放先側に延びている。これにより、挿入部２９０に挿入する前に遊技盤８０を仮置き可能となっており、更なる作業の容易化に貢献している。
【００８３】
遊技盤８０を着脱する際には、内枠１３の正面側から作業が行われる。この際、言うまでも無く前扉枠１４が開放された状態で作業が行われる。ここで、開放された前扉枠１４と遊技盤８０及び挿入部２９０との位置関係について図１３に基づき説明を補足する。図１３は、開放された前扉枠１４と遊技盤８０及び挿入部２９０との位置関係を示す概略図である。
【００８４】
図１３に示すように、前扉枠１４は内枠１３に設けられた上記支持金具７１，７２によって回動可能に軸支されており、この軸支された部分（回動中心軸線ＣＬ）を中心として開閉される構成となっている。支持金具７２には前扉枠１４の最大開放位置を規定する規定部７２ａが形成されている。前扉枠１４が開放され、規定部７２ａに対して当たった場合には、それ以上の開放が不可となる。本実施の形態においては、前扉枠１４の最大開放量が凡そ１００°に設定されている。これは、パチンコ機１０がホール等の島設備に設置された状態にて前扉枠１４が開放された場合に、隣接して設けられた他の遊技機等に対して同前扉枠１４が干渉しないように、また隣接する遊技機での遊技を妨げないようにするための工夫である。なお、前扉枠１４の最大開放量は１００°に限定されるものではない。少なくとも遊技盤８０の着脱が許容される範囲であれば任意に設定してよい。
【００８５】
前扉枠１４の回動中心軸線ＣＬは同前扉枠１４の前面寄りに位置しており、前扉枠１４を閉じた状態にて内枠１３の内側に当該前扉枠１４の回動基端部分が嵌まり込む構成となっている。これにより、前扉枠１４と内枠１３との境界部位（特に前扉枠１４の回動基端側の境界部位）を介して不正具が挿入されるといった不都合を生じにくくし、防犯機能の強化を図っている。
【００８６】
この回動中心軸線ＣＬの後方に上記挿入部２９０が配置されている。前扉枠１４は所定の厚さを有しているため、上述の如く最大開放位置まで開放された場合であってもその背面の一部が挿入部２９０よりも右側（前扉枠１４を支持している側とは反対側）に張り出した状態となる。挿入部２９０は、その張出部分よりも奥まった位置に存在しているものの、遊技盤８０を出し入れする際に当該遊技盤８０の通過する軌道ＰＬと前扉枠１４との干渉が回避されるようにしてその挿入口の向きが定められている。これにより、遊技盤８０を装着する際の前扉枠１４の張り出し部分と遊技盤８０との干渉が抑えられている。
【００８７】
（誘導レール１００の保護に関する構成）
しかしながら、上述の如く挿入部２９０の挿入口の向きを工夫したとしても、上記干渉の発生機会を減らすことは可能ではあるが、遊技盤８０の挿入方向のばらつきや前扉枠１４の開放不足等に起因した同干渉の発生を完全に払拭することは難しいと想定される。つまり、作業ばらつきに起因した干渉の発生を挿入口等の工夫のみで抑えることは難しいと考えられる。更には、遊技盤８０を着脱可能な構成を採用しているため、遊技盤８０の輸送時等に遊技盤８０をぶつける可能性もあり、遊技盤８０の保護機能には改善の余地がある。
【００８８】
特に、遊技領域ＰＥを区画している誘導レール１００については、遊技盤８０の前面から突出しているだけでなく同遊技盤８０において挿入部２９０側に位置しているため、同誘導レール１００等によって囲まれている釘８７等の各種構成と比較して、上記干渉の対象になりやすいと想定される。また、誘導レール１００は挿入部２９０とは反対側、すなわち遊技盤８０の回動先端側に開放された弧状をなしており、遊技盤８０の前面にはその開放部位を塞ぎ誘導レール１００と共に遊技領域ＰＥを区画するブロック状の遊技領域区画部材１０８が設けられている。言い換えれば、誘導レール１００と遊技領域区画部材１０８とは、前者が遊技盤８０の回動基端側、後者が遊技盤８０の回動先端側に配置されることで両者併せて環状をなしている。このように誘導レール１００が回動基端側に配置されているため、誘導レール１００は遊技領域区画部材１０８と比較しても上記干渉が発生しやすいと想定される。
【００８９】
既に説明したように誘導レール１００には遊技球発射機構１１０から発射された遊技球を遊技領域ＰＥに導く機能が付与されている。このため、誘導レール１００に上記干渉に起因した変形等が発生した場合には、遊技領域区画部材１０８に同様の変形が生じた場合と比較して、遊技球の動きに対する影響が大きくなると想定される。そこで、本実施の形態においては、第１レールカバー３５０及び第２レールカバー４００によって誘導レール１００を遊技領域ＰＥの外側から覆う構成とすることにより、誘導レール１００を上記干渉等から保護している。
【００９０】
第１レールカバー３５０及び第２レールカバー４００は、透明性を有する合成樹脂材料を用いて遊技盤８０とは別体で形成されており、図６に示すように同遊技盤８０の前面から前方へ突出した状態で当該遊技盤８０に固定されている。より詳しくは、両レールカバー３５０，４００は、遊技盤８０の前面において遊技領域ＰＥの外側となる領域、詳しくは遊技盤８０における挿入部２９０側の端部と誘導レール１００（詳しくは外レール１０２）との間に、第１レールカバー３５０が誘導レール１００の入口部分１０４寄りとなるように並べて配置されている。
【００９１】
図６に示すように、第１レールカバー３５０は、遊技盤８０の前面と対向する（詳しくは面当たりする）平板状のベース部３６０を有している。ベース部３６０は、誘導レール１００の入口部分１０４から外レール１０２において挿入部側（左側）に凸となっている部分の頂部１０２ａの手前となる位置にまで外レール１０２に沿って延びている。ベース部３６０には、当該ベース部３６０から外レール１０２と同一側（すなわちパチンコ機１０の前方）に起立する起立部３７０が一体成形されている。起立部３７０は、外レール１０２に対して遊技領域ＰＥとは反対側から対向する壁状をなし、当該起立部３７０の前端縁が外レール１０２の前端縁よりも前方に突出するように形成されている。この起立部２７０によって、外レール１０２、すなわち上記誘導通路１０３を構成している部分が挿入部２９０側から覆われた状態となっている。
【００９２】
第１レールカバー３５０よりも、誘導レール１００の出口部分１０５寄りとなる位置に第２レールカバー４００が配置されており、これら第１レールカバー３５０及び第２レールカバー４００によって誘導通路１０３のほぼ全域が遊技盤８０の挿入方向先側から覆われている。
【００９３】
以下、図１４及び図１５に基づき第２レールカバー４００について詳しく説明する。図１４は図６の部分拡大図、図１５は第２レールカバー４００の構成を示す斜視図である。なお便宜上、図１４においては２点鎖線を用いて内枠１３を示し、図１５においては２点鎖線を用いて遊技盤８０を示している。
【００９４】
図１４に示すように、第２レールカバー４００は、遊技盤８０の前面において遊技領域ＰＥの外側となる領域、詳しくは遊技盤８０における挿入部２９０側の端部と誘導レール１００（詳しくは外レール１０２）との間に配されており、同端部に沿って延びる縦長状をなしている。
【００９５】
第２レールカバー４００は、第１レールカバー３５０と同様に、遊技盤８０の前面と対向する（詳しくは面当たりする）平板状のベース部４１０を有している。ベース部４１０は、遊技盤８０の縁部に沿って上下に延びており、同ベース部４１０の上端が外レール１０２において挿入部側（左側）に凸となっている部分の頂部１０２ａよりも上方、且つ同ベース部４１０の下端が頂部１０２ａよりも下方に位置するように形成されている。ベース部４１０における外レール１０２側の縁部は、その中央部分が同外レール１０２に沿って湾曲しており、外レール１０２とは反対側の縁部は遊技盤８０の縁部に沿って直線状に延びている。つまり、ベース部４１０は自身の長手方向における中央部分にて幅が狭くなるように括れている（図１５参照）。
【００９６】
ベース部４１０には、当該ベース部４１０から外レール１０２と同一側（すなわちパチンコ機１０の前方）に起立する起立部４２０が一体成形されている。起立部４２０は、外レール１０２に対して遊技領域ＰＥとは反対側から対向する壁状をなし、当該起立部４２０の前端縁が外レール１０２の前端縁よりも前方に突出するように形成されている。この起立部４２０によって、外レール１０２において挿入部２９０側に凸となっている部分、すなわち上記誘導通路１０３を構成している部分が同挿入部２９０側から覆われた状態となっている。
【００９７】
起立部４２０は、ベース部４１０における湾曲部分に沿って形成された湾曲部４２１を有している。湾曲部４２１は、外レール１０２に対して平行、且つ同外レール１０２との間に僅かな隙間が確保されるように構成されている。また、起立部４２０は、湾曲部４２１の上端から上方に延びているとともに、同湾曲部４２１の下端から下方に延びている。以下便宜上、起立部４２０において湾曲部４２１よりも上側となる部分を「上側起立部４２２」と称し、同湾曲部４２１よりも下側となる部分を「下側起立部４２３」と称する。
【００９８】
上側起立部４２２及び下側起立部４２３は、上下に延びる平板状をなしており、上記頂部１０２ａから離れるにつれて外レール１０２との隙間が大きくなるように形成されている。この隙間の拡がりに合わせて、ベース部４１０が起立部４２０よりも外レール１０２側に延出している。つまり、湾曲部４２１がベース部４１０における外レール１０２側の縁部に沿って形成されているのに対して、上側起立部４２２及び下側起立部４２３はベース部４１０の幅方向における略中央に位置するように形成されている。以下便宜上、ベース部４１０において起立部４２０よりも外レール１０２側となる部分を「内側ベース部４１１」、同ベース部４１０において起立部４２０よりも挿入部２９０側となる部分を「外側ベース部４１２」と称する。
【００９９】
図１３に示すように、内側ベース部４１１及び外側ベース部４１２には第２レールカバー４００の固定手段を構成するネジ孔４１３，４１４が形成されている。これらネジ孔４１３，４１４に挿通されたネジ４１６，４１７（図１４参照）が遊技盤８０に対して螺着されることにより、第２レールカバー４００と遊技盤８０とが一体化されている。
【０１００】
図１４に外側ベース部４１２に設けられているネジ孔４１４及びネジ４１７は、内側ベース部４１１に設けられているネジ孔４１３及びネジ４１６よりも湾曲部４２１寄りとなるように第２レールカバー４００の長手方向（上下方向）にずらして配されている。これは限られたスペースにて第２レールカバー４００の固定強度を向上させるための工夫である。
【０１０１】
上側起立部４２２における湾曲部４２１とは反対側の端部（上端部）には、挿入部２９０側に突出するアーム部４３０が形成されている。アーム部４３０は上記ストッパ部２７１の上面２７２と若干の隙間を挟んで対向しており、その対向している部分にはストッパ部２７１側に凸となる突起４３１が形成されている。この突起４３１に対応させてストッパ部２７１の上面２７２には下方に凹んだ受け部２７５が形成されており、その受け部２７５に突起４３１が引っ掛かった状態となっている。
【０１０２】
突起４３１において挿入部２９０側を向いている部分にはアーム部４３０の先端部分から根元部分に向けて下り傾斜する傾斜面４３２が形成されており、遊技盤８０を挿入部２９０に挿入する際には傾斜面４３２がストッパ部２７１の上面２７２及び側面２７３の境界部位に当たる。これにより、アーム部４３０が根元部分（上側起立部４２２と繋がっている部分）を基端として撓み変形し、突起４３１がストッパ部２７１の上面２７２へと導かれる。この後、アーム部４３０が弾性力によって変形前の状態に復帰することにより、突起４３１が受け部２７５に引っ掛かることとなる。このようにして突起４３１が受け部２７５に対して引っ掛かることにより、挿入部２９０からの遊技盤８０の脱落が阻止される。
【０１０３】
既に説明したように、突起４３１が受け部２７５に対して引っ掛かっている状態では、遊技盤８０がそれら突起４３１及び受け部２７５の引っ掛かり位置よりも回動先端側にて仮置き部１２５に載っている。つまり、遊技盤８０が仮置き部１２５によって支えられた状態にて、遊技盤８０の脱落が阻止されている。これにより、遊技盤８０の重さ等による負荷が突起４３１や受け部２７５に集中することを好適に回避している。
【０１０４】
ここで、図１２及び図１４に基づき第２レールカバー４００と挿入部２９０との関係について補足説明する。図１４に示すように、遊技盤８０が内枠１３に対して装着された状態では、挿入部２９０（詳しくはストッパ部２７１）が第２レールカバー４００の上側起立部４２２及び下側起立部４２３の側方に位置し、第２レールカバー４００の外側ベース部４１２が挿入部２９０に嵌まっている。
【０１０５】
外側ベース部４１２は、ストッパ部２７１の背面２７４に対してパチンコ機１０の後方から当接している。外側ベース部４１２においてストッパ部２７１に当接している部分には、起立部４２０とは反対側（遊技盤８０側）に突出する突出部４４０が一体成形されている。突出部４４０は遊技盤８０の厚さ方向に延びる筒状をなしており、遊技盤８０にはこれら突出部４４０が嵌合する嵌合孔８９が形成されている。嵌合孔８９は遊技盤８０の前面側及び背面側に開放されており、突出部４４０の先端部分が同嵌合孔８９を通じて遊技盤８０の背面側に突出している。
【０１０６】
突出部４４０には第２レールカバー４００（詳しくは起立部４２０等）に加わった負荷を当該突出部４４０を通じて遊技盤８０へ分散させる分散機能が付与されており、第２レールカバー４００の特定箇所に負荷が集中することを抑制している。特に突出部４４０は、第２レールカバー４００の長手方向に拡がる縦長状をなしていることで、起立部４２０に対して同起立部４２０の根元部分を基端とした傾きが生じるような負荷が加わった場合に、そのような負荷を好適に分散させることが可能となっている。
【０１０７】
図１２に示すように、内枠１３の対向板部２５１においてストッパ部２７１よりも遊技盤８０の回動先端寄りとなる部分、詳しくは中央開口７４側の縁部には、同縁部から前方に起立するリブが形成されており、このリブに対して突出部４４０が当接している。このように、突出部４４０の先端部分が対向板部２５１のリブに当接することで、遊技盤収容部７３の奥側への遊技盤８０の変位が規制されている。
【０１０８】
本実施の形態においては特に、挿入部２９０の前後幅寸法が遊技盤８０の厚さ寸法、詳しくはベース部４１０の前面から突出部４４０の先端までの前後寸法よりも僅かに小さく設定されており、遊技盤８０を装着完了位置に配置した状態では、遊技盤８０が挿入部２９０に対して強干渉した状態となる。このように、挿入部２９０に対して遊技盤８０を強干渉させることにより、遊技盤８０の前後位置のばらつきを抑えることが可能となっている。
【０１０９】
しかしながら、このような構成を採用する場合、挿入部２９０への遊技盤８０の挿入が難しくなることは好ましくない。そこで、上述の如く第２レールカバー４００のベース部４１０とストッパ部２７１との当接箇所よりも、同第２レールカバー４００の突出部４４０と対向板部２５１のリブとの当接箇所のほうが、遊技盤８０の回動先端側に位置する構成とすることにより、遊技盤８０の挿入を容易化しつつ、装着完了位置に配置した状態での位置ばらつきを好適に抑制することが可能となっている。
【０１１０】
（隙間の拡がり規制に関する構成）
本実施の形態においては特に、遊技盤８０が装着された状態、すなわち同遊技盤８０の前後位置がストッパ部２７１や上記ロック装置７９によって規定されている状態にて前扉枠１４が閉じている場合に、当該遊技盤８０とガラスユニット３０（詳しくはガラスパネル３２）との隙間の拡がりを規制する規制機構を備えていることを特徴の１つとしている。以下、図１２，図１３，図１６及び図１７に基づき規制機構について詳しく説明する。図１６は第２レールカバー４００とガラスユニット３０との位置関係を示す概略図、図１７は図１のＢ−Ｂ線部分断面図である。なお、図１６においては、便宜上ガラスユニット３０の一部を２点鎖線及びドットハッチングを用いて表している。
【０１１１】
図１２に示すように、起立部４２０の湾曲部４２１には、その前端縁から外レール１０２側に突出し、遊技盤８０に対して同外レール１０２を挟んで対向する対向部４５０が形成されている。対向部４５０は、上側起立部４２２と下側起立部４２３とに跨るように形成さており、湾曲部４２１の補強機能が付与されている。
【０１１２】
図１６に示すように、対向部４５０は、湾曲部４２１の中央寄りに配された第１対向部４５１と、両起立部４２２，４２３寄りに配された第２対向部４５２，４５３とを有している。より詳しくは、対向部４５０は、図１３に示すように、第１対向部４５１が遊技盤８０側且つ第２対向部４５２，４５３が前扉枠１４側となる段差状に形成されている。
【０１１３】
図１７に示すように、第１対向部４５１は外レール１０２の前端縁に対して僅かな隙間を隔てて対向しており、第２対向部４５２，４５３は同外レール１０２の前端縁に対して第１対向部４５１よりも大きな隙間を隔てて対向している。この外レール１０２と第２対向部４５２との隙間に前扉枠１４の一部が嵌まっている。
【０１１４】
より具体的には、既に説明したように前扉枠１４のガラスホルダ３３は遊技盤８０の外周縁に沿って形成された環状をなしており、遊技盤８０の前方に配されている。ガラスホルダ３３の枠部３４は、同枠部３４における遊技盤８０側の縁部が第２レールカバー４００の対向部４５０よりも遊技盤８０の前面寄りとなるように、ガラスユニット設置部２２から遊技盤８０側に張り出している。枠部３４において第２レールカバー４００に遊技領域ＰＥ側から対向している部分には、同第２レールカバー４００へ向けて延出する延出部３９が形成されている。
【０１１５】
延出部３９は、枠部３４の外壁面から第２レールカバー４００の湾曲部４２１へ向けて延びる平板状をなしており、少なくともその先端部分が第２対向部４５２と外レール１０２との隙間に嵌まっている。延出部３９の板面は、遊技盤８０及びガラスユニット３０の並設方向（前後方向）と直交しているとともに、第２対向部４５２に対して僅かな隙間を隔ててパチンコ機１０の後方から対向している。また、同延出部３９の板面は後側のガラスパネル３２の後側の板面と略同一の仮想平面上に位置している。つまり、延出部３９と後側のガラスパネル３２とが略面一となるように形成されている。なお、延出部３９が第２対向部４５２に対してパチンコ機１０の後方から当接する構成とすることも可能である。
【０１１６】
ガラスユニット３０及び遊技盤８０のうち少なくとも一方が他方から遠ざかる側に変位した場合には、延出部３９が第２対向部４５２に当接し、ガラスユニット３０（詳しくは後側のガラスパネル３２）と遊技盤８０との隙間の拡がりが規制される。特に延出部３９の先端部分は、湾曲部４２１に沿うように湾曲しており、第２対向部４５２，４５３に対する掛かり代ができるだけ大きくなるように工夫されている。
【０１１７】
例えば、図１８（遊技盤とガラスユニットとの位置関係を示す概略図）（ａ）→（ｂ）に示すように、内枠１３と前扉枠１４との境界部位にバール等の不正具Ｔが挿入され、同境界部位が前後方向へ押し拡げられた場合であっても、それに追従してガラスユニット３０（詳しくは後側のガラスパネル３２）と遊技盤８０との隙間が拡がることを抑制できる。特に、上記境界部位の拡がりが大きくなった場合には、ガラスユニット３０を枠体２０に固定しているレバー部材２３（図３参照）が撓むことにより、遊技盤８０の前面とガラスパネル３２との間隔の拡がりが規制されることとなる。
【０１１８】
ここで、対向部４５０の配置について補足説明する。既に説明したように前扉枠１４を同前扉枠１４の上端部寄り及び下端部寄りに配置された支持金具７１，７２によって支持している構成において、前扉枠１４の回動安定性の向上が期待できる反面、それら両支持金具７１，７２の間となる部位にて、同前扉枠１４と内枠１３との境界部位が拡がりやすくなると想定される。この点、本実施の形態における第２対向部４５２は、支持金具７１，７２の間に配置されており、上記規制機能が好適に発揮される。
【０１１９】
また、両第２対向部４５２のうち少なくとも下側の一方は、内枠１３において前扉枠１４を支持している側の端部と上記作動口８３との間に配置されている。これにより、作動口８３付近における上記隙間の拡がりを好適に抑制可能となっている。
【０１２０】
（遊技盤８０の交換作業の流れ）
以下、図１９〜図２１に基づき遊技盤の交換作業の流れについて説明する。図１９〜図２０は遊技盤８０の交換作業時の様子を概略的に示す斜視図である。なお、便宜上、図１９（ａ）及び図２０（ａ）においては前扉枠１４を２点鎖線で示し、他の図においては前扉枠１４を省略している。
【０１２１】
遊技盤８０をパチンコ機１０から取り外す際には、図１９（ａ）に示すように前扉枠１４を開放した後、ロック装置７９をロック解除状態に切り替える。これにより、遊技盤８０の回動が許容された状態となる。
【０１２２】
遊技盤８０が回動可能となった後は、図１９（ａ）→図１９（ｂ）に示すように、同遊技盤８０を挿入部２９０を中心として手前側に回動させる。この際、遊技盤８０を仮置き部１２５に載せたまま回動させることができるため遊技盤８０を手で支える必要がない。また、遊技盤８０の突起４３１が樹脂ベース７０の受け部２７５に引っ掛かった状態のまま維持され、挿入部２９０からの遊技盤８０の脱落が回避される。つまり、遊技盤８０を所定位置まで回動させたとしても、引っ掛かり維持される。
【０１２３】
次に、図１９（ｂ）→図１９（ｃ）に示すように、遊技盤８０を手で抱える等して上方に持ち上げる。これにより遊技盤８０は仮置き部１２５から離間し、遊技盤８０が作業者によって支えられることとなる。そして、この操作に基づいき突起４３１が受け部２７５から離脱し、上記引っ掛かりが解除される。これにより、挿入部２９０からの遊技盤８０の引き抜き操作が許容される。
【０１２４】
その後、図１９（ｃ）→図１９（ｄ）に示すように、遊技盤８０を挿入部２９０の開放先側へ移動させることで、同遊技盤８０の取り外しが完了する。
【０１２５】
遊技盤８０を装着する際には、図２０（ａ）→図２０（ｂ）→図２０（ｃ）→図２０（ｄ）→図２１（ｅ）→図２１（ｆ）の順に作業が行われる。
【０１２６】
先ず図２０（ａ）に示すように、前扉枠１４を最大開放位置へ回動させる。その後、図（ｂ）に示すように、遊技盤８０を抱えて、同遊技盤８０（詳しくは切欠き部８８）を仮置き部１２５に載せる。これにより、遊技盤８０が樹脂ベース７０によって支えられ、同遊技盤８０の重量の少なくとも一部を樹脂ベース７０側に預けることができ、以後の作業の容易なものとすることができる。
【０１２７】
図２０（ｂ）→図２０（ｃ）に示すように遊技盤８０を仮置き部１２５に載せたまま挿入部２９０に向けて押し込むと、具体的には切欠き部８８を支点として、同遊技盤８０の上端を挿入部２９０側に傾倒させると、遊技盤８０の一部が挿入部２９０に嵌まり、その後第２レールカバー４００の突起４３１（詳しくは傾斜面４３２）がストッパ部２７１の上面２７２及び側面２７３の境界に当たる。
【０１２８】
このように傾斜面４３２がストッパ部２７１に当接した状態から遊技盤８０が挿入部２９０の奥側へ向けて更に押し込まれると、アーム部４３０が撓み変形し、上記突起４３１がストッパ部２７１の受け部２７５に誘導される。そして、突起４３１が受け部２７５に引っ掛かることにより、挿入部２９０からの遊技盤８０の脱落が阻止される。このように、遊技盤８０の脱落が阻止された状態では、遊技盤８０の自重が樹脂ベース７０によって支えられることとなり、作業者が遊技盤８０を支える必要がなくなる。
【０１２９】
その後、図２０（ｃ）→図２０（ｄ）に示すように、挿入部２９０を基端として遊技盤８０を回動させることにより同遊技盤８０が遊技盤収容部７３に収容される。遊技盤８０を遊技盤収容部７３に収容した後、ロック装置７９をロック状態に切り替えることで、遊技盤８０の樹脂ベース７０に対する装着作業が完了する。
【０１３０】
遊技盤８０の装着が完了した後は、図２１（ｅ）→図２１（ｆ）に示すように前扉枠１４を閉じることで、ガラスユニット３０の延出部３９が、第２レールカバー４００と外レール１０２との間に挿入され、同延出部３９が第２対向部４５２に対して後方から対向した状態となる。これにより、遊技盤８０とガラスユニット３０（詳しくは後側のガラスパネル３２）との隙間の拡がりが規制される。
【０１３１】
次に、パチンコ機１０の電気的構成について、図２２のブロック図に基づき説明する。図２２では、電力の供給ラインを二重線矢印で示し、信号ラインを実線矢印で示す。
【０１３２】
主制御装置１６２に設けられた主制御基板８０１には、主制御回路８０２と停電監視回路８０３とが内蔵されている。主制御回路８０２には、ＭＰＵ８１１が搭載されている。ＭＰＵ８１１には、当該ＭＰＵ８１１により実行される各種の制御プログラムや固定値データを記憶したＲＯＭ８１２と、そのＲＯＭ８１２内に記憶される制御プログラムの実行に際して各種のデータ等を一時的に記憶するためのメモリであるＲＡＭ８１３と、割込回路やタイマ回路、データ入出力回路などの各種回路が内蔵されている。
【０１３３】
ＲＡＭ８１３は、パチンコ機１０の電源の遮断後においても電源・発射制御装置２４３に設けられた電源・発射制御基板８２１からデータ記憶保持用電力が供給されてデータが保持される構成となっている。
【０１３４】
ＭＰＵ８１１には、アドレスバス及びデータバスで構成されるバスラインを介して入出力ポートが接続されている。主制御回路８０２の入力側には、主制御基板８０１に設けられた停電監視回路８０３、払出制御装置２４２に設けられた払出制御基板８２２及びその他図示しないスイッチ群などが接続されている。この場合に、停電監視回路８０３には電源・発射制御基板８２１が接続されており、主制御回路８０２には停電監視回路８０３を介して電力が供給される。
【０１３５】
一方、主制御回路８０２の出力側には、停電監視回路８０３、払出制御基板８２２及び中継端子板８２３が接続されている。払出制御基板８２２には、賞球コマンドなどといった各種コマンドが出力される。中継端子板８２３を介して主制御回路８０２から音声ランプ制御装置１４３に設けられた音声ランプ制御基板８２４に対して各種コマンドなどが出力される。
【０１３６】
停電監視回路８０３は、主制御回路８０２と電源・発射制御基板８２１とを中継し、また電源・発射制御基板８２１から出力される最大電源である直流安定２４ボルトの電源を監視する。
【０１３７】
払出制御基板８２２は、払出装置２２４により賞球や貸し球の払出制御を行うものである。演算装置であるＭＰＵ８３１は、そのＭＰＵ８３１により実行される制御プログラムや固定値データ等を記憶したＲＯＭ８３２と、ワークメモリ等として使用されるＲＡＭ８３３とを備えている。
【０１３８】
払出制御基板８２２のＲＡＭ８３３は、主制御回路８０２のＲＡＭ８１３と同様に、パチンコ機１０の電源の遮断後においても電源・発射制御基板８２１からデータ記憶保持用電力が供給されてデータが保持される構成となっている。
【０１３９】
払出制御基板８２２のＭＰＵ８３１には、アドレスバス及びデータバスで構成されるバスラインを介して入出力ポートが接続されている。払出制御基板８２２の入力側には、主制御回路８０２、電源・発射制御基板８２１、及び裏パック基板８２９が接続されている。また、払出制御基板８２２の出力側には、主制御回路８０２及び裏パック基板８２９が接続されている。
【０１４０】
電源・発射制御基板８２１は、電源部と発射制御部とを備えている。電源部は、二重線矢印で示す経路を通じて、主制御回路８０２や払出制御基板８２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０１４１】
音声ランプ制御基板８２４は、各種ランプ部２４〜２６やスピーカ部２７、及び表示制御装置８２５を制御するものである。演算装置であるＭＰＵ８４１は、そのＭＰＵ８４１により実行される制御プログラムや固定値データ等を記憶したＲＯＭ８４２と、ワークメモリ等として使用されるＲＡＭ８４３とを備えている。
【０１４２】
音声ランプ制御基板８２４のＭＰＵ８４１にはアドレスバス及びデータバスで構成されるバスラインを介して入出力ポートが接続されている。音声ランプ制御基板８２４の入力側には中継端子板８２３に中継されて主制御回路８０２が接続されており、主制御回路８０２から出力される各種コマンドに基づいて、各種ランプ部２４〜２５、スピーカ部２７、及び表示制御装置８２５を制御する。表示制御装置８２５は、音声ランプ制御基板８２４から入力する表示コマンドに基づいて図柄表示装置９４を制御する。
【０１４３】
以上詳述した本実施の形態によれば、以下の優れた効果を奏する。
【０１４４】
遊技盤８０を内枠１３の正面側から着脱可能とすることにより、内枠の背面側から遊技盤を着脱する構成と比較して作業の容易化を促進できる。遊技盤を内枠の背側から着脱する構成を想定した場合、内枠を開放した状態で遊技盤の着脱を行う必要が生じる。この場合、例えば内枠が移動しないように同内枠の移動を手で押さえることで、遊技盤の装着作業を円滑に行うことができる。しかしながら、遊技盤の着脱作業の円滑化のために、内枠を手で押える等した場合には、作業が煩雑化し得る。この点、上記実施の形態に示したように内枠１３を外枠１１に対して閉じた状態で遊技盤８０の着脱作業が可能であれば、押し込み操作等によって内枠１３が移動することを回避できる。これにより、遊技盤８０の着脱作業時に内枠１３を手で押さえるといった予備的作業を不要とし、作業の容易化に貢献できる。なお、裏パックユニット１５の開閉操作を省略することが可能となるため、作業手順の簡略化を図ることもできる。
【０１４５】
遊技盤８０を装着する際には、同遊技盤８０を内枠１３の仮置き部１２５に載せた状態で回動させることが可能となっている。つまり、遊技盤８０の重量の少なくとも一部を内枠１３側に預けることができるため、同遊技盤８０を支えたまま回動させる必要がない。これにより、作業負担の軽減を図っている。
【０１４６】
遊技盤８０を挿入部２９０に挿入することにより同遊技盤８０の突起４３１と樹脂ベース７０の受け部２７５とが引っ掛かり、当該遊技盤８０の挿入部２９０からの脱落が阻止される。このため、例えば上記回動操作中に遊技盤８０から手を離したとしても、それ起因して遊技盤８０の装着作業のやり直しが発生するといった不都合が生じにくくなっている。これにより、作業の容易化に貢献できる。
【０１４７】
また、遊技盤８０の挿入部２９０からの外れを抑制することにより、遊技盤８０の装着軌道のばらつきを抑えることも可能となる。これにより、遊技盤８０を回動させる際に同遊技盤８０が他の構成と干渉することを好適に抑制できる。
【０１４８】
遊技盤８０の装着作業時には、遊技盤８０を挿入部２９０に挿入することによって阻止状態に移行されるため、阻止状態への移行のための別途操作を必要としない。故に、脱落阻止構造を採用することによる遊技盤装着作業の煩雑化を回避することができる。
【０１４９】
上記突起４３１及び受け部２７５は遊技盤８０の前面側に配されている。これにより、遊技盤８０の脱落が阻止されている状態に切り替っているか否かを目視にて確認しやすくなっている。特に、突起４３１を第２レールカバー４００に一体形成することにより、つまり強度を確保する必要がある構成をまとめることにより、遊技盤８０の前面側での占有領域の拡がりを抑えている。この場合、第２レールカバー４００の起立部４２０等によって上記視認性が低下することが懸念されるが、本実施の形態においては第２レールカバー４００を透明とすることにより、起立部４２０を通して突起４３１を視認可能となっている。これにより、占有領域の拡がりを抑えつつ、それに起因した突起４３１等の視認性の低下を抑えている。
【０１５０】
遊技盤８０を回動可能とする場合、例えば同遊技盤８０を回動可能に支持する軸ピンを樹脂ベース７０に設けることも可能である。しかしながら、そのように軸ピンを有する構成を採用した場合、遊技盤８０を軸ピンに挿通するための作業スペースを確保する必要が生じる。具体的には、少なくとも軸ピンの中心軸線の延長上にて上記作業スペースを確保する必要が生じる。例えば、軸ピンを樹脂ベースの前方又は後方へオフセットして配置することにより同樹脂ベースと上記作業スペースとの重なりを回避することも可能であるが、このように軸ピンをオフセットして配置することはパチンコ機１０の薄型化を難しくする要因となり得るため好ましくない。この点、突起４３１及び受け部２７５によって遊技盤８０を回動可能とすれば、上記不都合を回避し、パチンコ機１０の薄型化を促進することができる。
【０１５１】
上述の如く遊技盤８０を樹脂ベース７０に対して着脱可能な構成とすることにより、例えばメンテナンス作業の容易化や遊技盤８０の交換（機種変更等）の容易化に貢献できる。しかしながら、遊技盤８０を着脱可能とすることにより、以下の不都合が生じやすくなると想定される。つまり、遊技盤８０の輸送時に同遊技盤８０がぶつけられたり、遊技盤８０の着脱作業時に同遊技盤８０が前扉枠１４や内枠１３等に干渉したりする可能性がある。
【０１５２】
遊技盤８０の前面には釘８７や誘導レール１００等の遊技球の動きに影響を与える部品が配設されており、これらの部品が上記干渉の対象となり変形等が生じた場合には、遊技球の動きが想定外のものとなり得るため好ましくない。特に、誘導レール１００については釘８７等の遊技領域ＰＥに配設された各種構成を囲っているため、それら釘８７等と比べて干渉の対象になりやすいと想定される。また、同誘導レール１００は遊技球発射機構１１０から発射された遊技球を遊技領域ＰＥに誘導する機能を有しており、仮に上記干渉により変形等が生じると、誘導機能が低下すると懸念される。本実施の形態によれば、誘導レール１００をレールカバー３５０，４００によって覆うことにより、誘導レール１００を保護し、上記不都合の発生を抑えることが可能となっている。
【０１５３】
第２レールカバー４００は、誘導レール１００を遊技領域ＰＥの外側且つ遊技盤８０の正面側から覆っている。これにより、誘導レール１００の保護機能の向上が図られている。
【０１５４】
特に、上述の如く前扉枠１４と内枠１３（樹脂ベース７０）との間から挿入部２９０へ遊技盤８０を挿入する構成においては、遊技盤８０の正面側に前扉枠１４が位置するため、同前扉枠１４と誘導レール１００とが干渉しやすくなると想定される。そこで、第２レールカバー４００によって同前扉枠１４側から誘導レール１００を覆うことにより、同誘導レール１００と前扉枠１４との干渉を好適に抑制できる。
【０１５５】
遊技盤８０を挿入部２９０に挿入する際には、誘導レール１００において挿入先側となる部分が干渉する可能性が他の部位と比べて干渉しやすくなると想定される。この点、本実施の形態によれば、第２レールカバー４００によって誘導レール１００における遊技盤８０の挿入方向先側となる部位を覆う構成とすることにより、上記保護機能を好適に発揮させることができる。
【０１５６】
また、遊技球発射機構１１０から発射された遊技球は、誘導レール１００において上記第２レールカバー４００によって覆われている部分を経由して遊技領域ＰＥに到達する。つまり、第２レールカバー４００により誘導レール１００において誘導通路１０３を構成している部分を覆うことにより、遊技球の誘導機能の担保することが可能となっている。
【０１５７】
本実施の形態においては特に、第２レールカバー４００のベース部４１０に括れを形成するとともに起立部４２０が湾曲部４２１を有することにより、誘導レール１００と第２レールカバー４００と遊技盤８０の前面において好適に共存させている。つまり、誘導レール１００によって区画されている遊技領域ＰＥの圧迫を抑えつつ第２レールカバー４００を配置している。うまり、第２レールカバー４００の保護機能を享受しつつ同第２レールカバー４００の占有領域の拡がりを抑えることにより、実用上好ましい構成が実現されている。
【０１５８】
特に誘導レール１００（詳しくは外レール１０２）において挿入部２９０側に凸となっている部分と遊技盤８０の端部との間となる部位では、第２レールカバー４００の設置が許容される領域が狭くなっている。この点、起立部４２０に外レール１０２に沿って湾曲する湾曲部４２１を形成することにより、占有領域の拡がりを抑えつつ、起立部４２０の強度（詳しくは遊技領域ＰＥの外側から加わる外力に対する耐性）を向上させている。
【０１５９】
また、起立部４２０の湾曲部４２１には対向部４５０が形成されており、同対向部４５０が上側起立部４２２と下側起立部４２３とに繋がる構成とすることにより、湾曲部４２１の更なる強度向上が期待できる。特に、対向部４５０は第１対向部４５１及び第２対向部４５２，４５３が前後に段差状となるように形成されている。これにより、更なる強度向上が可能となっている。
【０１６０】
上側起立部４２２及び下側起立部４２３は、外レール１０２の頂部１０２ａから遠ざかるにつれて同外レール１０２との間の隙間が拡がっており、その隙間を埋めるようにして内側ベース部４１１が形成されている。つまり、湾曲部４２１を挟んだ上下両側においては、内側ベース部４１１及び外側ベース部４１２が形成されている。これら内外のベース部４１１，４１２を有する構成とすることにより、湾曲部４２１の変形を好適に抑えることが可能となっている。
【０１６１】
このように強度が要求される第２レールカバー４００に上記突起４３１を配設することにより、突起４３１に相当する構成を別途設ける場合と比較して遊技盤８０前面側での設置領域の減縮が可能となっている。
【０１６２】
内枠を前扉枠で覆うタイプの遊技機においては内枠と前扉枠との位置関係に配慮した構成が採用されているものがある。このような構成では、内枠の樹脂ベースと前扉枠との位置関係を好適に維持することはできるものの、樹脂ベースとは別体で設けられた遊技盤と前扉枠に設けられたガラスパネルとの位置関係を好適に維持することは困難であると想定される。つまり、遊技盤及びガラスパネルの相対位置（前後位置）の変化やばらつきを抑えることは難しいと想定される。
【０１６３】
遊技盤とガラスパネルとの間に遊技領域が設けられ、その遊技領域を遊技球が流下する構成においては、上述した遊技盤及びガラスパネルの相対位置の変化は遊技領域における遊技球の挙動に影響を及ぼす要因となり得る。遊技盤を有する遊技機においては遊技領域における遊技球の挙動によって有利不利が決定されるため、上述したような遊技盤とガラスパネルとの相対位置の変化は好ましくない。
【０１６４】
この点、本実施の形態においては、前扉枠１４の延出部３９が遊技盤８０の第２レールカバー４００と外レール１０２との間に挿通される構成とすることにより上記不都合の発生を好適に抑え、遊技領域を流下する遊技球の挙動を好適なものとすることができる。
【０１６５】
特に、本実施の形態においては、遊技盤８０を樹脂ベース７０に対して着脱可能とする構成を採用することにより、メンテナンス作業の容易化や機種変更の促進等に貢献している。しかしながら、このように遊技盤８０を着脱可能とすることで、上記効果が期待できる反面、樹脂ベース７０に対する遊技盤８０の位置ばらつきが生じやすくなると想定される。このため、仮に前扉枠１４と樹脂ベース７０との位置関係を好適に維持することができたとしても、上述した遊技盤８０と樹脂ベース７０との位置ばらつきは、遊技盤８０とガラスパネル３２との位置関係に影響を及ぼすと想定される。この点、前扉枠１４の延出部３９と遊技盤８０の第２レールカバー４００とを設けることによって、上記不都合を抑制し、メンテンナンス作業の容易化等と遊技盤及びパネル部材の位置関係の維持とを好適に両立させることができる。
【０１６６】
誘導通路１０３と対向部４５０との間に前扉枠１４の延出部３９を介在させるとともに、その延出部３９における後側の板面とガラスパネル３２における後側の板面とを面一とすることで誘導通路１０３を通過する遊技球の挙動の安定化に貢献できる。
【０１６７】
例えば、誘導通路１０３をガラスパネル３２と第２レールカバー４００の対向部４５０とによって前方から覆う構成とすることも可能ではあるが、ガラスパネル３２が前扉枠１４側に設けられているとともに対向部４５０が遊技盤８０側に設けられているため、それらガラスパネル３２と対向部４５０との間には隙間や段差が生じやすくなると想定される。このため、誘導通路１３０により誘導されている遊技球の挙動がこれら隙間や段差等を通過する際に乱れて、安定した遊技球の誘導が困難となり得る。この点、上述の如く、面一となるように設けられた延出部３９とガラスパネル３２とによって誘導通路１０３を覆う構成とすれば、そのような不都合を払拭し、実用上好ましい構成を実現できる。
【０１６８】
また、遊技盤８０において前扉枠１４の回動基端部寄りとなる位置に対向部４５０を配するとともに前扉枠１４の回動基端部に延出部３９を配することにより、上記隙間に延出部３９が挿入される際の同延出部３９の移動方向を遊技盤８０の前面と略平行とすることが可能となる。故に、例えば対向部４５０と延出部３９との隙間を小さくしたり、それら対向部４５０及び延出部３９の掛かり代（すなわち前後方向における重なり代）を大きくしたりすることができ、上述した隙間の拡がりを規制する機能を一層好適なものとすることができる。
【０１６９】
、前扉枠１４の上端及び下端寄りに配置された支持金具７１，７２によって支持しているため、それら支持金具７１，７２の中間部位では、前扉枠１４と内枠１３と隙間が拡がりやすくなると想定される。そこで、上記延出部３９等を前扉枠１４の回動基端側に配することにより、そのような不都合の発生を好適に抑制することが可能となっている。
【０１７０】
また、前扉枠１４の回動先端側においては施錠装置７５により前扉枠１４の浮き上がりが好適に抑制されているもの、回動基端側では上記支持金具７１，７２の中間位置での浮き上がりが容易になり得る。仮に前扉枠１４の回動基端側における内枠１３との境界部位からバール等の不正具が挿入され、無理に上記境界部位が押し拡げられると、遊技領域ＰＥにて意図的に球詰まりを発生させることが可能となる。仮に、このような球詰まりが作動口８３等の入球口の傍で発生すると、後続する遊技球がそれら球詰まりしている遊技球群によって作動口８３等に誘導され、作動口８３等への入賞確率が変わってしまうと想定される。つまり、意図的に球詰まりを発生させることにより、不正に特典を享受しようとする試みがなされると懸念される。この点、本実施の形態においては、上記延出部３９及び対向部４５０（詳しくは第２対向部４５３）を作動口８３と上記回動基端側の境界部位との間に配置することにより、上述した不正行為を好適に抑制することが可能となっている。
【０１７１】
延出部３９と対向部４５０とが当接している場合には、第２レールカバー４００に対して遊技盤８０から浮き上がるような応力が加わることとなる。第２レールカバー４００は起立部４２０を有しており、前後方向への変形に対する強度が高められている。これにより、延出部３９によって前方へ引っ張られたとしても、同第２レールカバー４００の変形を抑えることができる。故に、上記隙間の拡がりを好適に抑制できる。
【０１７２】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０１７３】
（１）上記実施の形態では、「カバー部」としての第２レールカバー４００により「区画部」としての誘導レール１００（詳しくは外レール１０２）において誘導通路１０３を構成している部分を覆う構成としたが、これに限定されるものではない。例えば、誘導レール１００において誘導通路１０３を構成していない部分をカバー部により覆う構成とすることも可能であり、誘導レール１００全体をカバー部により覆う構成とすることも可能である。
【０１７４】
但し、誘導レール１００の誘導機能の担保を考慮すると、同誘導レール１００において発射された遊技球を遊技領域ＰＥへ誘導する部分、すなわち上記誘導通路１０３を構成している部分は覆う構成とすることが望ましい。また、遊技盤８０を「支持枠」としての樹脂ベース７０に装着する際には同遊技盤８０を挿入部２９０に挿入する構成を採用している。このため、既に説明したように誘導レール１００において挿入部２９０側となる部分が他の部分と比較して干渉の対象となりやすいと想定される。故に、望ましくは挿入部２９０側となる部分を覆う構成とすることが望ましい。
【０１７５】
（２）上記実施の形態では、第２レールカバー４００に湾曲部４２１や対向部４５０等を設け、同第２レールカバー４００の変形を抑える構成としたが、これに限定されるものではない。上述した湾曲部４２１等の強度向上を担っている構成を省略して第２レールカバー４００の強度を下げることにより同第２レールカバー４００の変形を促進させる構成とすることも可能である。このような変更を行う場合には、第２レールカバー４００と誘導レール１００との隙間を拡げ、第２レールカバー４００→誘導レール１００への力の伝播を回避するとよい。
【０１７６】
但し、このような隙間の拡大は、遊技盤８０の前面側という限られた領域において、誘導レール１００との共存が難しくなる要因となり得る。故に、望ましくは、上記実施の形態に示したように第２レールカバー４００の強度を高めつつ同第２レールカバー４００の占有領域の拡がりを抑えるとよい。
【０１７７】
（３）上記実施の形態では、誘導レール１００において挿入部側に凸となっている部分の上下両側にて第２レールカバー４００を遊技盤８０に固定する構成としたが、第２レールカバー４００の固定箇所は任意である。
【０１７８】
例えば、外側ベース部４１２における固定箇所（ネジ孔４１３）を、内側ベース部４１１における固定箇所（ネジ孔４１４）よりも湾曲部４２１寄りとなるように構成したが、これに限定されない。内側ベース部４１１における固定箇所（ネジ孔４１４）を、外側ベース部４１２における固定箇所（ネジ孔４１３）よりも湾曲部４２１寄りとなるように構成してもよい。
【０１７９】
なお、第２レールカバー４００を固定する固定手段は、ネジ４１６，４１７に限定されるものではない。例えば第２レールカバー４００に爪部を形成し、同爪部が遊技盤８０の受け部等に係合することにより第２レールカバー４００が遊技盤８０に固定される構成とすることも可能である。また、第２レールカバー４００を遊技盤８０に対して機構的に固定するのではなく、接着剤等を用いて固定することも可能である。
【０１８０】
（４）上記実施の形態では、第２レールカバー４００の起立部４２０が誘導レール１００（詳しくは外レール１０２）に沿って湾曲する湾曲部４２１を有する構成としたが、必ずしも湾曲部４２１を有する必要はない。例えば、起立部が遊技盤８０の縁部に沿って真っ直ぐに延びる構成としてもよい。但し、このような変更を行った場合、起立部の強度が低下し、遊技領域ＰＥの外側から起立部が押される等した場合の同起立部の変形量が増大すると想定される。故に、湾曲部を省略する場合には起立部を補強する等して、同起立部の変形量の増大を抑えることが望ましい。
【０１８１】
（５）上記実施の形態では、第２レールカバー４００のベース部４１０において湾曲部４２１が起立している部分では内側ベース部４１１を省略したが、これを変更し、湾曲部４２１が起立している部分に内側ベース部を形成することも可能である。
【０１８２】
但し、このような変更を行った場合、湾曲部４２１と外レール１０２との隙間を拡げ、内側ベース部の設置領域を確保する必要が生じる。これは、遊技領域ＰＥを圧迫する要因となり得るため好ましくない。故に、望ましくは、上記実施の形態に示したように、湾曲部４２１においては内側ベース部４１１を省略し、誘導レール１００と第２レールカバー４００とを好適に共存させるとよい。
【０１８３】
（６）上記実施の形態では、第２レールカバー４００がベース部４１０を有し、同ベース部４１０を遊技盤８０に対して固定したが、これに限定されるものではない。例えばベース部４１０を省略し、起立部４２０を遊技盤８０に対して直接固定することも可能である。
【０１８４】
更には、カバー部を遊技盤８０に対して必ずしも別体で設ける必要はなく、カバー部を遊技盤８０と一体成形することも可能である。
【０１８５】
（７）上記実施の形態では、第２レールカバー４００によって誘導レール１００（詳しくは外レール１０２）を遊技盤８０の正面側及び遊技領域ＰＥの外側から覆う構成としたが、カバー部は誘導レール１００を少なくとも遊技領域ＰＥの外側から覆っていればよく、必ずしも遊技盤８０の正面側から覆う必要はない。例えば、第２レールカバー４００における対向部４５０を省略することも可能である。
【０１８６】
なお、上記実施の形態における対向部４５０には誘導レール１００を覆う機能の他に遊技盤８０とガラスユニット３０との隙間の拡がりを規制する機能が付与されている。故に、上記変更を採用する場合には、対向部４５０における後者の機能を満足する構成を別途設けることが望ましい。
【０１８７】
（８）上記実施の形態では、内枠１３（詳しくは樹脂ベース７０）において前扉枠１４を軸支している側と同一側に挿入部２９０を配したが、これを変更し、内枠１３において前扉枠１４を軸支している側とは反対側に挿入部２９０を配することも可能である。但し、このような変更を行った場合には、遊技盤８０を着脱する際に前扉枠１４が作業の邪魔になりやすいと想定される。確かに、前扉枠１４の開放量を大きくすることで、作業性の低下を抑えることは可能であるが、このような対応は作業スペースが無駄に拡がる要因となり得るため好ましくない。特に、遊技ホール等の島設備に設置されている状態にて前扉枠１４を大きく開放させる必要があると、隣接する遊技機での遊技を妨げる要因となり得るため好ましくない。この点、上記実施の形態に示したように、前扉枠１４を軸支している側と同一側に挿入部２９０を配すれば、上記不都合を払拭し、実用上好ましい構成を実現できる。
【０１８８】
（９）上記実施の形態では、遊技盤８０を回動させることにより装着完了位置へ配置可能な構成としたが、これに限定されるものではない。例えば遊技盤８０を所定の方向にスライド移動させることで装着完了位置へ配置可能な構成とすることも可能である。
【０１８９】
（１０）上記実施の形態では、樹脂ベース７０に対して遊技盤８０を同樹脂ベース７０の前方から着脱可能な構成としたが、これを変更し、同遊技盤８０を樹脂ベース７０の後方から着脱可能な構成とすることも可能である。
【０１９０】
（１１）上記実施の形態では、「阻止手段」を構成する突起４３１及び受け部２７５を遊技盤８０の前面側に配したが、これに限定されるものではない。例えば、それら突起４３１及び受け部２７５に相当する構成を遊技盤８０の背面側に配することも可能である。但し、遊技盤８０を樹脂ベース７０の正面側から着脱する構成においては、突起４３１等を遊技盤８０の背面側に配することで、同突起４３１等が遊技盤８０によって遮られ視認性が低下すると想定される。故に、遊技盤８０を樹脂ベース７０の正面側から着脱する構成においては、突起４３１等を遊技盤８０の前面側に配することが望ましい。
【０１９１】
（１２）上記実施の形態では、「挿入部」を構成しているストッパ部２７１に「阻止手段」を構成している受け部２７５を配設したが、これに限定されるものではない。受け部２７５に相当する構成をストッパ部２７１とは別個独立して設けることも可能である。
【０１９２】
また、「カバー部」としての第２レールカバー４００に「阻止手段」を構成する突起４３１を配設したが、これに限定されるものではない。突起４３１に相当する構成を第２レールカバー４００とは別個独立して設けることも可能である。
【０１９３】
（１３）上記実施の形態では、第２レールカバー４００を無色透明な構成としたが、例えば有色半透明であって有色不透明であってもよい。また、第２レールカバー４００を合成樹脂材料ではなく、アルミニウム等の金属材料によって形成することも可能である。
【０１９４】
なお、このような変更を行う場合であっても、遊技盤着脱時の突起４３１等の視認性を確保しておくことが好ましい。
【０１９５】
（１４）「阻止手段」を構成する突起４３１及び受け部２７５に遊技盤８０の位置決め機能を付与することも可能である。但し、このような変更を行った場合、突起４３１を受け部２７５に引っ掛けることが難しくなり、遊技盤８０を装着する際の作業性が低下すると想定される。故に、突起４３１及び受け部２７５については、上記実施の形態に示したように、遊技盤８０の位置を規定するのではなく、ある程度の位置ばらつきを許容する（仮止め）程度にしておくことが好ましい。
【０１９６】
（１５）上記実施の形態では、「載置部」としての仮置き部１２５を「規制手段」を構成するストッパ部２７１よりも下方に配置したが、両者の配置を逆転することも可能である。
【０１９７】
（１６）上記実施の形態では、第２レールカバー４００のアーム部４３０が起立部４２０から突出する構成としたが、これを変更し、アーム部がベース部４１０から突出する構成としてもよい。但し、このような変更を行った場合には、挿入部２９０に遊技盤８０を挿入する際にアーム部が撓みにくくなると想定される。故に、望ましくは、アーム部は起立部４２０に形成するとよい。
【０１９８】
（１７）上記実施の形態では、遊技盤８０を仮置き可能な仮置き部１２５を有する構成としたが、この仮置き部を省略することも可能である。このような変更を行う場合には、アーム部４３０，突起４３１及びストッパ部２７１を補強し、遊技盤８０をそれらアーム部４３０等によって支えるすることが可能となるように構成することで、作業負荷の増大を抑えることができる。しかしながら、このような強度確保は、ストッパ部２７１や第２レールカバー４００の大型化を招来し、遊技領域ＰＥを圧迫する要因となり得る。故に、望ましくは、上記実施の形態に示したように遊技盤８０の前面から外れた位置に仮置き部を設け、アーム部４３０等に負荷が集中することを回避するとよい。
【０１９９】
（１８）上記実施の形態では、遊技盤８０を挿入部２９０に挿入することにより、同挿入部２９０からの遊技盤８０の取り外しが規制される構成とした。つまり、遊技盤８０の挿入操作に基づいて、「阻止手段」としての突起４３１と受け部２７５とが係合状態（規制状態）に切り替る構成とした。これを以下のように変更することも可能である。すなわち、遊技盤８０を挿入部２９０に挿入する挿入操作とは別の操作により遊技盤８０の取り外し不能にロックするロック機構を設けてもよい。この場合、例えばロック機構が回動操作可能に形成されたロックレバーを有し、同ロックレバーを操作することで遊技盤８０の取り外しが不可となる構成を採用するとよい。
【０２００】
（１９）上記実施の形態では、「阻止手段」を構成する受け部２７５を遊技盤収容部７３内に配したが、これを変更し、受け部２７５を遊技盤収容部７３外に配することも可能である。例えば、遊技盤収容部７３の前方に配することも可能である。しかしながら、このような変更は、内枠１３の厚みを嵩みやすくし、パチンコ機１０の薄型化を妨げる要因となり得る。故に、望ましくは、受け部２７５を遊技盤収容部７３内に収容するとよい。
【０２０１】
（２０）上記実施の形態では、遊技盤８０の突起４３１が樹脂ベース７０の受け部２７５の底部に当接しない構成とし、更には遊技盤８０のアーム部４３０がストッパ部２７１の上面２７２に当接しない構成としたが、これを変更し、突起４３１が受け部２７５の底部に当接する又はアーム部４３０が上面２７２に当接する構成とすることも可能である。
【０２０２】
但し、このような変更を行った場合には、遊技盤８０の重さがアーム部４３０等に伝わりやすくなり、それらアーム部４３０に加わる負荷が大きくなることで、挿入部２９０からの取外規制機能が低下することが懸念される。故に、望ましくは、上記実施の形態に示したように、突起４３１と受け部２７５とが引っ掛かっている状態において、それら突起４３１や受け部２７５に付随する構成が上下に当接することを回避するとよい。
【０２０３】
（２１）上記実施の形態では、挿入部２９０を「区画部」としての誘導レール１００において同挿入部２９０側に凸となっている部分の上方及び下方にそれぞれ配置したが、これに限定されるものではない。挿入部２９０を上記凸となっている部分に対して横並びとなる位置に配置することも可能である。また、挿入部を複数に分けて設けるのではなく、遊技盤の縁部に沿って、上記凸となっている部分の上方及び下方に延びる一連の挿入部を形成することも可能である。
【０２０４】
但し、このような変更を行った場合には、遊技盤８０の前面側にて誘導レール１００と挿入部とを共存させることによる遊技領域ＰＥの圧迫が顕著になると想定され好ましくない。故に、望ましくは、上記実施の形態に示したように、上記凸となっている部分を避けるようにして挿入部を配置するとよい。
【０２０５】
（２２）上記実施の形態では、「規制手段」を構成する延出部３９をガラスユニット３０のガラスホルダ３３に配設したが、これを変更し、同延出部３９に相当する構成を前扉枠１４の枠体２０に配設することも可能である。但し、このような変更を行う場合には、延出部３９に相当する構成をガラスパネル３２に近づけて配置することが望ましい。
【０２０６】
（２３）上記実施の形態では、延出部３９が第２レールカバー４００に当接する（引っ掛かる）構成としたが、延出部３９が引っ掛かる対象は第２レールカバー４００に限定されるものではない。例えば、第２レールカバー４００とは別体で、引っ掛かり用の部材を遊技盤８０に配設してもよいし、同係合部が遊技盤８０に対して直接引っ掛かる構成としてもよい。
【０２０７】
（２４）上記実施の形態では、「パネル部材」としてのガラスパネルを２枚有する構成としたが、「パネル部材」の枚数は任意である。但し、安全性や防犯性の向上を念頭に置けば、パネル部材を少なくとも２枚採用することが好ましい。
【０２０８】
（２５）上記実施の形態では、ガラスパネル３１，３２をガラスホルダ３３を介して枠体２０に取り付ける構成としたが、このガラスホルダ３３を省略し、ガラスパネル３１，３２を枠体２０に対して直接取り付ける構成とすることも可能である。この場合、上述したように延出部３９に相当する構成を枠体２０に配設するとよい。
【０２０９】
（２６）上記実施の形態では、「規制手段」を構成する延出部３９等を前扉枠１４の回動基端側に配したが、これを変更し、前扉枠１４の回動先端側に配することも可能である。但し、このような変更を行った場合には、前扉枠１４の回動によって延出部３９を第２レールカバー４００に挿通することが難しくなり、前扉枠１４の回動を契機として動作する別の機構が必要となり得る。故に、望ましくは上記実施の形態に示したように前扉枠１４の回動基端側に配するとよい。
【０２１０】
（２７）上記実施の形態では、「規制手段」を構成する延出部３９及び対向部４５０を前扉枠１４の回動基端部及び内枠１３の境界部位と「入球口」としての作動口８３との間に配したが、これに限定されるものではない。例えば、延出部３９及び対向部４５０を前扉枠１４の回動基端部及び内枠１３の境界部位と「入球口」としての一般入賞口８１や可変入賞装置８２との間に配置することも可能である。
【０２１１】
なお、「規制手段」を「入球口」とは関係のなく、任意に配置することも可能である。但し、防犯性向上の観点から、前扉枠１４の回動基端部及び内枠１３の境界部位と「入球口」との間に配することが望ましい。
【０２１２】
（２８）前扉枠１４の枠体２０に対するガラスユニット３０の取付構造はレバー部材２３に限定されるものではない。以下、図２３（ａ）を参照して具体的な変形例について説明する。
【０２１３】
図２３（ａ）に示すように、ガラスユニット９３０は、ガラスパネル９３１，９３２とパネルホルダ９３３とを有している。前扉枠１４のガラスユニット設置部２２は、パネルホルダ９３３の外形に合わせて形成されており、同ガラスユニット設置部２２内での前後方向へのガラスユニット９３０のスライド移動を許容している。
【０２１４】
前扉枠１４の枠体２０には後方へ延びる軸ピン９４１が固定されており、同軸ピン９４１がパネルホルダ９３３に形成された貫通孔９３５に挿通されている。軸ピン９４１にはパネルホルダ９３３に対して遊技盤８０側から当接する頭部９４２が形成されており、同頭部９４２によってガラスユニット設置部２２からのガラスユニット９３０の脱落が阻止されている。
【０２１５】
また、軸ピン９４１にはコイルバネ９４３が挿通されており、同コイルバネ９４３が頭部９４２とパネルホルダ９３３とによって挟まれた状態となっている。つまり、コイルバネ９４３によってガラスユニット９３０が遊技盤８０から遠ざかる側に付勢された状態となっている。
【０２１６】
このため、前扉枠１４及び遊技盤８０のうち少なくとも一方が他方から遠ざかる側に変位した場合には延出部３９が第２対向部４５２，４５３に当接し、上記変位が増すとコイルバネ９４３が圧縮され、ガラスユニット９３０は上記変位に追従することなくその場に留まるととなる。これにより、ガラスユニット９３０（詳しくは後側のガラスパネル部材９３２）と遊技盤８０との隙間の拡がりを規制することができるとともに、延出部３９や第２レールカバー４００に過剰な負荷が加わって変形等が生じることを抑制できる。故に、ガラスユニット９３０と遊技盤８０との離れを規制する機能を好適に維持することが可能となる。
【０２１７】
なお、上記コイルバネ９４３が最も圧縮された状態となっている場合でも、ガラスユニット９３０の一部がガラスユニット設置部２２に対して嵌まった状態となることにより、ガラスユニット９３０と枠体２０との隙間を通じた不正具等の挿入が容易になることを抑制し、防犯性の低下を抑えることができる。
【０２１８】
（２９）上記実施の形態では、「パネル部材」をガラス製としたが、合成樹脂製とすることも可能である。このようにパネル部材を合成樹脂製とする場合には、併せて以下の変更を行うことも可能である。すなわち、延出部３９に相当する構成を、パネル部材に設けることも可能である。
【０２１９】
更には、パネル部材を変位可能に保持する構成とすることにより、パネル部材と遊技盤８０との隙間の拡がりを一層好適に規制することができる。以下、図２３（ｂ）を参照して具体的な変形例について説明する。図２３（ｂ）は、規制手段の変形例を示す概略図である。
【０２２０】
図２３（ｂ）に示すように、ガラスユニット９５０のパネル部材９５１，９５２のうち少なくとも後側のパネル部材９５２は無色透明な合成樹脂材料により形成されている。パネルホルダ９５３には両パネル部材９５１，９５２に個別に対応する溝部９５４，９５５が形成されている。前側のパネル部材９５１に合わせて形成された溝部９５４の幅寸法は、前側のパネル部材９５１の厚さ寸法と同等となるように設定されており、前側のパネル部材９５１の前後方向への変位を阻止されている。一方、後側のパネル部材９５２に合わせて形成された溝部９５５の幅寸法は、後側のパネル部材９５２の厚さ寸法よりも大きく設定されており、後側のパネル部材９５２の前後方向への変位が許容されている。
【０２２１】
後側の溝部９５５には、パネル部材９５２に対して遊技盤８０側から当接する板バネ９５６が配設されており、同板バネ９５６によってパネル部材９５２が遊技盤８０から遠ざかる側（前方）に付勢されている。
【０２２２】
後側のパネル部材９５２には、遊技盤８０の第２レールカバー４００（詳しくは第２対向部４５２，４５３）に係合可能な係合部９５７が形成されている。
【０２２３】
前扉枠１４及び遊技盤８０のうち少なくとも一方が他方から遠ざかる側に変位した場合には、係合部９５７が第２対向部４５２，４５３に係合する。この際、上記変位が増すと、上記板バネ９５６が圧縮され、後側のパネル部材９５２は上記変位に追従することなくその場に留まることとなる。これにより、後側のパネル部材９５２と遊技盤８０との隙間の拡がりを規制することができるとともに、係合部９５７や第２レールカバー４００に過剰な負荷が加わって変形等が生じることを抑制できる。故に、後側のパネル部材９５２と遊技盤８０との離れを規制する機能を好適に維持することが可能となる。
【０２２４】
（３０）上記実施の形態では、「規制手段」を構成する延出部３９及び第２レールカバー４００が遊技盤８０の前方にて引っ掛かる構成としたが、これに限定されるものではない。遊技盤８０の後方にて引っ掛かる構成とすることも可能である。例えば、上述したように遊技盤８０の背面に対して延出部３９が引っ掛かる構成にするとよい。
【０２２５】
（３１）上記実施の形態では、「規制手段」として前扉枠１４の延出部３９と遊技盤８０の第２レールカバー４００とを有し、延出部３９が前扉枠１４の動きに追従して、第２レールカバー４００に対する引っ掛かる位置へ移動する構成としたが、これに限定されるものではない。「規制手段」は、少なくとも前扉枠１４を閉じた状態にて遊技盤８０とガラスユニット３０（詳しくは後側のガラスパネル３２）との隙間の拡がりを規制することができるものであればよい。例えば、遊技盤８０及びガラスユニット３０の相対移動が不可となるようにロックするロック状態と、遊技盤８０及びガラスユニット３０の相対移動を許容するロック解除状態とに切替可能なロック装置を設け、同ロック装置を前扉枠１４が開放されている場合にはロック状態に切り替わるとともに前扉枠１４が閉じた場合にロック状態に切り替る構成とすることも可能である。なお、このようなロック装置を採用する場合、同ロック装置が施錠装置と連動してロック状態とロック解除状態とに切り替る構成とすることで、更なる防犯性の向上が期待できる。
【０２２６】
（３２）上記実施の形態では、挿入部２９０に遊技盤８０の第２レールカバー４００が嵌まることにより、遊技盤８０の前後方向への移動が規制される構成とした。詳しくは、第２レールカバー４００のベース部４１０が挿入部２９０を構成するストッパ部２７１の背面２７４に当接し、同第２レールカバー４００の突出部４４０が対向板部２５１のリブに当接することにより前後位置が規定される構成とした。これを以下のように変更することも可能である。例えば、対向板部２５１に遊技盤８０をストッパ部２７１側に付勢する付勢部材としての板バネを配設し、同板バネによって遊技盤８０（詳しくはベース部４１０）がストッパ部２７１に押し付けられることにより、同遊技盤８０の前後位置が規定される構成とすることも可能である。
【０２２７】
（３３）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２２８】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０２２９】
特徴Ａ１．遊技盤（遊技盤８０）と、
その遊技盤の前面から前方へ起立して、前記遊技盤の前面に遊技領域（遊技領域ＰＥ）及びその遊技領域へ遊技球を誘導する誘導部（誘導通路１０３）を区画形成する区画部（誘導レール１００）と、
前記遊技盤を着脱可能に支持する支持枠（内枠１３の樹脂ベース７０）と、
少なくとも前記遊技盤を遊技機前方から覆うとともに、前記支持枠に対して開閉可能な扉体（前扉枠１４）と、
前記遊技盤に設けられ、前記区画部の少なくとも一部を前記遊技領域の外側から覆うカバー部（第２レールカバー４００）と
を備えていることを特徴とする遊技機。
【０２３０】
特徴Ａ１によれば、遊技盤に設けられたカバー部によって区画部の少なくとも一部を遊技領域の外側から覆うことにより、区画部を保護することができる。例えば支持枠に対して遊技盤を取り付ける際に同扉体や支持枠等に対して区画部が衝突することを抑制し、同衝突に起因した区画部の変形等を抑えることができる。
【０２３１】
区画部には、遊技球を遊技領域へ誘導する機能が付与されており、仮に上記変形等が生じた場合にはその誘導機能が低下し得る。特に、支持枠に対して遊技盤を着脱可能とすることによりメンテナンスや機種変更等の容易化を図った場合、上記衝突が発生する機会が増え、誘導機能の低下が生じやすくなると想定される。この点、上述の如くカバー部によって区画部を覆う構成とすれば、同区画部の誘導機能の低下を抑制することができる。
【０２３２】
特徴Ａ２．前記遊技盤は略矩形状をなしているとともに、前記遊技領域は略円形状をなしており、
前記区画部は、前記遊技盤の一辺側に凸となる円弧状をなしており、
前記カバー部は、前記区画部において少なくとも前記一辺側に凸となっている部分を覆っていることを特徴とするＡ１に記載の遊技機。
【０２３３】
特徴Ａ１に示したように区画部によって遊技領域を囲っている構成においては、区画部において遊技盤の外周縁に近い部分が同区画部における他の部分と比べて支持枠等に衝突しやすいと想定される。そこで、本特徴に示すように、区画部において遊技盤の一辺側に凸となっている部分をカバー部によって覆う構成とすれば、区画部の保護機能を好適に向上させることができる。
【０２３４】
特徴Ａ３．前記カバー部は、前記区画部において少なくとも前記誘導部を区画形成している部分を覆っていることを特徴とするＡ１に記載の遊技機。
【０２３５】
特徴Ａ１に示したように区画部に誘導機能が付与されている構成においては、その誘導機能が付与されている部分、特に誘導部を区画形成している部分を覆う構成とすることにより、カバー部の保護効果を好適に享受することが可能となり、誘導機能の維持に貢献することができる。
【０２３６】
特徴Ａ４．前記支持枠には、前記遊技盤の一側部が挿入される遊技盤挿入部（挿入部２９０）が設けられており、
前記遊技盤は、前記遊技盤挿入部に挿入された状態で当該遊技盤挿入部を中心として回動されることにより前記支持枠に対して着脱されるものであり、
前記区画部は、前記誘導部が前記遊技領域よりも前記遊技盤挿入部側となるように構成されており、
前記カバー部は、前記区画部において少なくとも前記誘導部を区画形成している部分を前記遊技盤挿入部側から覆っていることを特徴とするＡ１に記載の遊技機。
【０２３７】
特徴Ａ４によれば、遊技盤の一側部を遊技盤挿入部に挿入した状態で同遊技盤挿入部を中心として同遊技盤を回動させることにより当該遊技盤を着脱することができる。遊技盤挿入部へ遊技盤の一側部を挿入させる場合、区画部における遊技盤挿入部側となる部分が同区画部における他の部分と比べて支持枠等に対して衝突しやすいと想定される。そこで、区画部において遊技盤挿入部側となる部分をカバー部によって覆うことにより、区画部の保護機能を好適に向上させることができる。
【０２３８】
特徴Ａ５．前記遊技領域は略円形状をなしており、
前記区画部は、内外二重に設けられた内レール（内レール１０１）及び外レール（外レール１０２）を有しているとともに、それら内レール及び外レールが遊技球の通過を許容する隙間を隔てて対向している部分によって前記誘導部を区画形成しており、更には前記誘導部が前記遊技領域よりも前記遊技盤の回動基端側となるように構成されており、
それら内レール及び外レールにおいて前記誘導部を区画形成している部分は、前記遊技盤挿入部側に凸となる湾曲状に形成されており、
前記カバー部は、前記外レールにおいて前記遊技盤挿入部側に凸となっている部分を覆っていることを特徴とするＡ４に記載の遊技機。
【０２３９】
区画部の外レールが遊技盤挿入部側に凸となる円弧状をなしている場合、外レールにおいて遊技盤挿入部側となる部分（特に上記凸となっている部分）が同外レールにおける他の部分と比べて遊技盤挿入部の入口部分等に衝突しやすいと想定される。そこで、遊技盤挿入部側に凸となっている部分をカバー部によって覆うことにより、実用上好ましい構成を実現できる。
【０２４０】
また、各レールが遊技領域側を中心として湾曲している構成においては、遊技球が外レールに沿って移動しやすいと想定される。つまり、内レールと外レールとを比較した場合、区画部の誘導機能に対する貢献度は外レールのほうが大きいと想定される。そこで、上述の如くカバー部によって外レールを保護する構成とすれば、同カバー部による保護効果を好適に享受することができる。
【０２４１】
特徴Ａ６．前記カバー部は、前記外レールにおける前記凸となっている部分に対して前記遊技盤挿入部側から対向する対向部（起立部４２０）を有していることを特徴とするＡ５に記載の遊技機。
【０２４２】
特徴Ａ６によれば、遊技盤を挿入する際の挿入方向において外レールよりも先側にカバー部（詳しくは対向部）が位置するため、同対向部によって外レールと支持枠や扉体等との衝突を好適に抑制することができる。
【０２４３】
なお、遊技盤前面からの対向部の起立量を区画部（例えば外レール）の起立量よりも大きく設定するとよい。これにより、区画部の保護機能を好適に向上させることができる。
【０２４４】
特徴Ａ７．前記対向部は、前記外レールにおける前記凸となっている部分に沿うようにして同遊技盤挿入部側に凸となるように湾曲していることを特徴とするＡ６に記載の遊技機。
【０２４５】
近年では遊技領域の拡張に伴って区画部（詳しくは外レール）が遊技盤の縁部に近づけて配設されることが多く、遊技盤における遊技盤挿入部側の縁部と外レールとの間にカバー部の設置領域を広く確保することは遊技領域の拡張を妨げる要因となり得るため好ましくない。しかしながら、特徴Ａ５に示したように対向部を有する構成においては、上述の如く設置領域の確保が難しくなれば対向部の強度を確保することが困難になり、保護機能の向上が難しくなると懸念される。
【０２４６】
この点、本特徴に示すように、外レールの凸となっている部分に沿うようにして対向部を湾曲させることにより、対向部の強度向上に貢献できる。つまり、遊技盤の挿入する際に、対向部が支持枠（例えば遊技盤挿入部の入口部分）や扉体等に衝突した場合であっても、同対向部の変形を抑え、外レールを好適に保護することができる。これにより、上記設置領域の拡がりを抑えつつ保護機能を向上することができ、実用上好ましい構成を実現できる。
【０２４７】
特徴Ａ８．前記カバー部は、前記遊技盤の前面と平行となるように形成されたベース部（ベース部４１０）を有し、
前記ベース部は、前記遊技盤の前記一側部に沿って延びる長板状をなしているとともに、前記外レールにおける前記凸となっている部分を挟んだ両側にて前記遊技盤に固定されており、
前記対向部は、前記ベース部から起立していることを特徴とするＡ６又はＡ７に記載の遊技機。
【０２４８】
特徴Ａ８によれば、ベース部を外レールにおける凸となっている部分（以下便宜上、凸部分と称する）を挟んだ両側にて遊技盤に固定することにより、固定部分の占有領域の確保が容易となり、限られた領域にて区画部とカバー部とを好適に共存させることができる。
【０２４９】
また、特徴Ａ６に示したように対向部によって区画部（詳しくは外レール）を保護する構成においては、対向部を遊技盤に対して固定することも可能である。しかしながら、上述の如く外レールの凸部分から遠い位置にて固定すると、対向部自身の強度によって、同対向部の変形を抑える必要が生じ、保護機能の向上に制限が生じやすいと想定される。
【０２５０】
この点、本特徴によれば、遊技盤に対する固定対象としてのベース部から対向部が起立している。これにより、対向部に対して挿入方向先側から支持枠等が当たった場合であっても、同対向部の変形をベース部によって変形を抑えることができ、カバー部全体の強度を好適に向上できる。故に、遊技盤の縁部と外レールの凸部分との間にてカバー部の省スペース化に貢献でき、実用上好ましい構成を実現できる。
【０２５１】
特徴Ａ９．前記対向部は、
前記ベース部に沿って前記外レールにおける前記凸となっている部分に沿って湾曲する湾曲部（湾曲部４２１）と、
前記湾曲部から前記ベース部の長手方向へ延出する延出部（上側起立部４２２や下側起立部４２３）と
を有し、
前記ベース部は、当該ベース部において前記湾曲部が起立している部分が同湾曲部に対して前記遊技盤挿入部側に延び、同ベース部において前記延出部が起立している部分が前記遊技盤挿入部側及び前記外レール側に延びるように形成されていることを特徴とするＡ８に記載の遊技機。
【０２５２】
特徴Ａ９によれば、ベース部による対向部の補強機能を好適に向上し、カバー部全体としての保護機能の向上に好適に貢献することができる。具体的には、カバー部の設置可能領域は上述したように外レールの凸部分と遊技盤の縁部との間では狭く、同縁部に沿って凸部分から遠ざかるにつれて広くなる。そこで、対向部の湾曲部をベース部における外レール側の縁部から起立させるとともに、対向部の延出部をベース部における幅方向の中間部位から起立させることにより、記挿入方向及び同挿入方向とは反対方向への対向部の変形を好適に抑えることができる。例えば、対向部が外レール側へ押された場合であっても、ベース部において外レール側に延びている部分が踏ん張ることで、カバー部全体が区画部側へ傾倒することを抑制できる。これにより、区画部（詳しくは外レール）とカバー部とを好適に共存させることが可能となる。
【０２５３】
特徴Ａ１０．前記ベース部の固定部は、前記対向部よりも前記遊技盤挿入部側となる位置、及び当該対向部よりも前記外レール側となる位置に配されていることを特徴とするＡ９に記載の遊技機。
【０２５４】
特徴Ａ９に示した構成においては対向部を挟んだ両側にてベース部を固定することで、上記効果を一層好適なものとすることができる。
【０２５５】
なお、各固定部のうち遊技盤挿入部側の固定部を外レール側の固定部よりも上記凸部分寄りに配するとよい。これにより、固定部の占有スペースの確保を容易化しつつ、遊技盤挿入時にカバー部が支持枠等に衝突した場合のカバー部の変形を好適に抑制できる。
【０２５６】
また、固定部を外レールの凸部分を挟んだ両側に配置することにより実用上好ましい構成を実現できる。
【０２５７】
特徴Ａ１１．前記カバー部は、前記ベース部から前記遊技盤側に突出する突出部（突出部４４０）を有し、
前記遊技盤は、前記突出部が嵌合する嵌合部（嵌合孔８９）を有していることを特徴とするＡ８乃至Ａ１０のいずれか１つに記載の遊技機。
【０２５８】
特徴Ａ１１によれば、ベース部に対向部とは反対側（遊技盤側に）突出する突出部を形成し、同突出部が遊技盤に形成された嵌合部に対して嵌合することで、対向部に対して負荷が加わった場合、同負荷を突出部及び嵌合部を通じて遊技盤に対して好適に分散させることができる。
【０２５９】
このような分散構造を採用する際に、遊技盤前面側での占有領域を必要としないため、カバー部材の設置領域が拡がって遊技領域が圧迫されることを好適に回避できる。
【０２６０】
特徴Ａ１２．前記対向部は第１対向部であり、
前記カバー部には、前記第１対向部から前記遊技領域側に延び、前記外レールの前記凸となっている部分を挟んで前記遊技盤の前面と対向する第２対向部（対向部４５０）が形成されていることを特徴とするＡ６乃至Ａ１１のいずれか１つに記載の遊技機。
【０２６１】
第１対向部及び第２対向部によって外レールを囲むことにより、同外レールの保護機能を好適に向上させることができる。
【０２６２】
特徴Ａ７以降に示したようにカバー部（詳しくは対向部）の強度向上を図る様々な工夫を施した場合であっても、強度向上には改善の余地がある。特に、カバー部の固定部分が外レールの凸部分から遠ざけて配置されている場合には、その凸部分付近での強度の向上が難しくなる。この点、本特徴に示すように第２対向部を形成することにより、凸部分付近での強度を好適に向上させることができ、例えば第１対向部が外レール側へ押された場合であっても、同第１対向部の変形を第２対向部によって抑えることができる。
【０２６３】
なお、特徴Ａ９（湾曲部を有する構成）との組み合わせにおいては特に、湾曲部に第２対向部を形成するとよい。
【０２６４】
特徴Ａ１３．前記扉体は、
前記遊技領域を隔てて前記遊技盤に対向し、同遊技領域を遊技機前方から視認可能とするパネル部材（例えばガラスパネル３２）と、
同扉体が前記遊技機本体に対して閉じた位置へ移動することにより、前記遊技盤と前記第２対向部との間に挿入される挿入片（延出部３９）と
を有していることを特徴とするＡ１２に記載の遊技機。
【０２６５】
遊技盤とパネル部材との間に遊技領域が設けられ、その遊技領域を遊技球が流下する構成においては、それら遊技盤及びパネル部材の相対位置の変化は遊技領域における遊技球の挙動に影響を及ぼす要因となり得る。遊技盤を有する遊技機においては遊技領域における遊技球の挙動によって有利不利が決定されるため、上述したような遊技盤とパネル部材との相対位置の変化は好ましくない。
【０２６６】
この点、本特徴によれば、遊技盤側の第２対向部に対して扉体の挿入片が後方から当接することにより、遊技盤とパネル部材との隙間の拡がりを抑えることができ、上記不都合の発生を好適に抑えることができる。
【０２６７】
また、カバー部は、上述の如く強度が確保されており、取付部としてのベース部から起立するようにして第１対向部が形成されている。このため、第２対向部が挿入片によって遊技機前方へ押された場合であっても、カバー部が遊技盤の前方へ撓む等することを好適に抑制することができる。このように、カバー部に対して遊技盤とパネル部材との隙間の拡がりを抑える機能を付与することにより、強度の要求される構成が独立して存在することを回避できる。故に、遊技領域の圧迫を好適に抑制することが可能となる。
【０２６８】
特徴Ａ１４．前記扉体は、前記支持枠によって回動可能に支持されており、
前記遊技盤挿入部は、前記支持枠において前記扉体を支持している側と同一側に配されているとともに、同扉体を支持している側とは反対側に開放されており、
前記挿入片は、前記扉体の回動基端側に配されていることを特徴とするＡ１３に記載の遊技機。
【０２６９】
特徴Ａ１３に示したように、扉体を支持枠に対して閉じることにより同扉体に設けられた挿入片が第２対向部と遊技盤との間（隙間）に挿入するには、扉体の回動基端側となる位置にカバー部（詳しくは第２対向部）を配置するとともに扉体の回動基端側に挿入片を配置するとよい。これにより、上記隙間に挿入片が挿入される際の同挿入片の移動方向を遊技盤の前面と略平行とすることが可能となる。故に、例えば第２対向部と挿入片との隙間を小さくしたり、それら第２対向部及び挿入片の掛かり代（すなわち前後方向における重なり代）を大きくしたりすることができ、上記規制機能を一層好適なものとすることができる。
【０２７０】
支持枠に対して遊技盤が遊技機前方から取り付ける構成において遊技盤挿入部を扉体の回動基端側に配した場合には、以下の不都合が生じやすくなると想定される。すなわち、扉体の開放度合いによっては、遊技盤を遊技盤挿入部に挿入する際に同遊技盤の一側部（カバー部が取り付けられている側の端部）が扉体と衝突しやすくなると懸念される。この点、カバー部によって区画部（詳しくは外レール）を保護することにより、同区画部が扉体に衝突することを好適に抑制できる。
【０２７１】
特徴Ａ１５．前記扉体は、
扉枠（枠体２０）と、
前記パネル部材及び同パネル部材を保持するパネルホルダ（ガラスホルダ３３）を有してなり、前記扉枠に搭載されているパネルユニット（ガラスユニット３０）と
を備え、
前記挿入片は、前記パネルホルダに配設されていることを特徴とするＡ１３又はＡ１４に記載の遊技機。
【０２７２】
例えば扉枠にパネル部材を直接取り付ける構成においては、挿入片を扉枠に形成することも可能である。しかしながらこの場合、扉体の支持枠からの浮き上がりに起因して第２対向部や挿入片に加わった外力が、それら第２対向部や挿入片の強度を上回ると、それら第２対向部や挿入片が変形等し、規制機能が損なわれる低下すると想定される。この点、パネルユニットを扉枠によって保持する構成とした場合、第２対向部や挿入片の強度よりもパネルユニットの保持強度を低く設定しておくことが可能となり、それら第２対向部や挿入片の変形等を回避することができる。つまり、第２対向部や挿入片が変形する前にパネルユニットを変位又は変形させることで、隙間の拡がりを規制している状態を維持することが可能となる。これにより、上記隙間の変化を好適に抑制することができる。例えば、パネルユニットが扉枠に対して変位可能な状態で同扉枠により保持される構成を採用するとよい。
【０２７３】
特徴Ａ１６．前記カバー部は、前記遊技盤とともに前記遊技盤挿入部に挿入され、同遊技盤挿入部の内壁面に対して前記扉体とは反対側から対向していることを特徴とするＡ１３乃至Ａ１５のいずれか１つに記載の遊技機。
【０２７４】
特徴Ａ１３等に示したように、カバー部（詳しくは第２対向部）と挿入片とによってパネル部材と遊技盤との隙間の拡がりを抑える構成においては、カバー部が遊技盤から浮き上がる等することにより、上記規制機能が発揮されなくなると想定される。そこで、カバー部が遊技盤挿入部の内壁面に対して扉体とは反対側から対向る構成とすれば、内壁面に対してカバー部が当接することにより同カバー部の浮き上がりが遊技盤挿入部によって抑えることができる。これにより、上記不都合の発生を好適に抑制し、実用上好ましい構成を実現できる。
【０２７５】
特徴Ａ１７．前記支持枠の前面に対して前記遊技盤が遊技機前方から取り付けられているとを特徴とするＡ１乃至Ａ１６のいずれか１つに記載の遊技機。
【０２７６】
特徴Ａ１７によれば、遊技盤が支持枠に対して遊技機前方から取り付けられている。このように、支持枠前方からの取り付けを可能とすることで、遊技盤を支持枠に対して遊技機後方から取り付けられている構成と比較して、遊技盤取付作業の容易化に貢献できる。
【０２７７】
しかしながら、遊技盤を遊技機前方から取り付ける構成においては、遊技盤と扉体とが衝突し得る。このような構成に特徴Ａ１等に示した構成を適用することにより、区画部の保護効果が一層顕著なものとなる。
【０２７８】
特徴Ａ１８．前記カバー部は、前記区画部に対して隙間を隔てて対峙するようにして形成されていることを特徴とするＡ１乃至Ａ１７のいずれか１つに記載の遊技機。
【０２７９】
特徴Ａ１８によれば、カバー部が衝突した際に、同カバー部に加わる力が当該カバー部を通じて区画部に伝播することを抑制することができる。これにより、カバー部の保護機能を一層好適なものとすることができる。
【０２８０】
上記特徴Ａ群は以下の課題に対して適用すると効果的である。
【０２８１】
パチンコ機等の遊技機には、遊技盤を枠体に搭載してなる遊技機本体を備えているものがある。遊技盤には同遊技盤の前面から起立するレール部材が取り付けられており、当該遊技盤の前面のうち同レール部材によって囲まれた領域が遊技領域となっている。遊技機本体の前面側には当該遊技機本体を覆う扉体が設けられており、同扉体に配設された透明パネルを介して遊技領域が視認可能となっている。遊技者により遊技球発射ハンドルが操作されると遊技球発射装置から遊技球が発射され、それら遊技球は上記レール部材に沿って移動することにより遊技領域に導かれることとなる。
【０２８２】
このような遊技機においては、一般的に遊技盤が枠体に対して着脱可能に取り付けられており、遊技盤を着脱可能とすることで遊技盤等のメンテナンス作業の容易化や機種変更時における同遊技盤の入替作業の容易化が図られている。
【０２８３】
上述の如く遊技盤を着脱可能なタイプの遊技機においては、例えば遊技盤の取付作業時に同遊技盤が枠体や扉体等に対して衝突する可能性がある。特に遊技盤の前面から起立している上記レール部材については、遊技領域を囲っているため遊技領域に配設された各種構成と比較して枠体等に対する衝突の対象になりやすいと想定される。レール部材は遊技領域へ遊技球を誘導する機能を有しており、仮に上述した衝突等に起因して変形等が生じた場合には遊技球の誘導機能が低下し、遊技球の円滑な誘導が難しくなると懸念される。
【０２８４】
特徴Ｂ１．遊技球が流下する遊技領域（遊技領域ＰＥ）が前面側に形成された遊技盤（遊技盤８０）を、枠体（樹脂ベース７０）に搭載してなる遊技機本体（内枠１３）と、
前記遊技機本体を遊技機前方から覆うとともに、同遊技機本体に対して開閉可能な扉体（前扉枠１４）と、
前記扉体に設けられ、前記遊技盤の前面に対して前記遊技領域を隔てて対向しているとともに、前記遊技領域が視認可能となるように形成されたパネル部材（例えばガラスパネル３２）と、
前記扉体及び前記遊技盤に設けられ、前記扉体が前記遊技機本体に対して閉じている場合に前記遊技盤と前記パネル部材との隙間の変化を規制する規制手段（ガラスユニット３０の延出部３９及びレールカバー４００の対向部４５０）と
を備えていることを特徴とする遊技機。
【０２８５】
遊技機本体を扉体で覆うタイプの遊技機においては枠体と扉体との位置関係に配慮した構成が採用されているものがある。このような構成では、枠体と扉体との位置関係を好適に維持することはできるものの、枠体とは別体で設けられた遊技盤と扉体に設けられたパネル部材との位置関係を好適に維持することは困難であると想定される。つまり、遊技盤及びパネル部材の相対位置（前後位置）の変化やばらつきを抑えることは難しいと想定される。
【０２８６】
遊技盤とパネル部材との間に遊技領域が設けられ、その遊技領域を遊技球が流下する構成においては、上述した遊技盤及びパネル部材の相対位置の変化は遊技領域における遊技球の挙動に影響を及ぼす要因となり得る。遊技盤を有する遊技機においては遊技領域における遊技球の挙動によって有利不利が決定されるため、上述したような遊技盤とパネル部材との相対位置の変化は好ましくない。
【０２８７】
この点、本特徴によれば、扉体及び遊技盤に設けた規制手段によって同遊技盤とパネル部材との隙間の変化（例えば遊技盤とパネル部材との間隔の変化）を規制する構成とすることにより上記不都合の発生を好適に抑え、遊技領域を流下する遊技球の挙動を好適なものとすることができる。
【０２８８】
なお、本特徴に示す遊技盤とパネル部材とは必ずしも平行である必要はない。つまり、例えば遊技盤の前面が平面である場合にパネル部材の後面を曲面とすることも可能であり、上記隙間が全て箇所で一定となる構成に限定されるものではない。
【０２８９】
特徴Ｂ２．前記遊技盤は、前記枠体に対して着脱可能に取り付けられていることを特徴とするＢ１に記載の遊技機。
【０２９０】
遊技盤を枠体に対して着脱可能とする構成を採用した場合には、メンテナンス作業の容易化等が期待できる反面、枠体に対する遊技盤の位置ばらつきが生じやすくなると想定される。仮に扉体と枠体との位置関係を好適に維持することができたとしても、上記遊技盤と枠体との位置ばらつきは、遊技盤とパネル部材との位置関係に影響を及ぼすと想定される。この点、遊技盤を着脱可能な構成に対して特徴Ｂ１に示した構成を適用すれば、上記不都合を抑制し、メンテンナンス作業の容易化と遊技盤及びパネル部材の位置関係の維持とを好適に両立させることができる。
【０２９１】
特徴Ｂ３．前記規制手段は、前記遊技盤と前記パネル部材との隙間の拡がりを規制するように構成されていることを特徴とするＢ１又はＢ２に記載の遊技機。
【０２９２】
遊技領域には各種遊技部品（例えば釘８７や一般入賞口８１）が配されているのが一般的であり、仮に遊技盤とパネル部材との隙間が狭くなった場合には、それら遊技部品がパネル部材に当たることで、それ以上の隙間の変化が抑制される。一方、遊技盤とパネル部材との隙間が拡がった場合には、それら各種遊技部品とパネル部材との隙間が拡がることとなる。そこで、本特徴に示すように、規制手段によって遊技盤とパネル部材との隙間の拡がりを規制すれば、実用上好ましい構成を実現できる。これにより、例えば遊技領域での球詰まり等の発生を好適に抑制できる。
【０２９３】
特徴Ｂ４．前記扉体は、前記枠体によって回動可能に支持されており、
前記規制手段は、前記扉体の回動基端側に配されていることを特徴とするＢ１乃至Ｂ３のいずか１つに記載の遊技機。
【０２９４】
特徴Ｂ１等に示した隙間の変化は、遊技機組立時等に扉体の組み付けばらつきが生じるといった偶発的な要因によってのみ発生するのではなく、故意に扉体の位置をずらすといった意図的な要因によっても同様に発生する。例えば、扉体と遊技機本体との境界部位にバール等の不正具を挿入し、扉体を遊技機本体から浮かせることで遊技盤とパネル部材との隙間を拡げ、遊技領域における任意の位置（例えば作動口８３等の傍）にて球詰まりを発生させるといった行為が行われると想定される。この場合、本来上記作動口等に到達するはずのない遊技球が、先行して詰っている遊技球に沿って同所定位置へと案内され、不正に利益が取得されるといった不都合が生じ得る。
【０２９５】
扉体を回動可能に支持する構成においては、上記不正行為の足がかりとして遊技機本体と扉体との回動基端側の境界部位が狙われやすいと想定される。そこで、本特徴に示すように、規制手段を扉体の回動基端側に配することで、上記不正行為を困難なものとし、防犯機能を好適に高めることができる。
【０２９６】
特徴Ｂ５．前記枠体は、前記扉体を回動可能に支持する複数の支持部（支持金具７１，７２）を有し、
前記規制手段は、それら支持部の間に配置されていることを特徴とするＢ４に記載の遊技機。
【０２９７】
複数の支持部によって扉体を回動可能に支持する場合、支持部近辺と比較してそれら支持部の間となる位置での扉体の浮き上がり等が発生しやすいと想定される。そこで、本特徴に示すように、支持部と支持部との間に規制手段を配置すれば、特徴Ｂ４に示した防犯効果を好適に享受することができる。
【０２９８】
特徴Ｂ６．前記規制手段は、
前記遊技盤側に設けられ、前記遊技盤の前面に隙間を隔てて対向する遊技盤側規制部（対向部４５０）と、
前記扉体側に設けられ、同扉体が前記遊技機本体に対して閉じた位置へ移動することにより、前記遊技盤と前記遊技盤側規制部との間に挿入される扉体側規制部（延出部３９）と
を有していることを特徴とするＢ１乃至Ｂ５のいずれか１つに記載の遊技機。
【０２９９】
特徴Ｂ６によれば、扉体を遊技機本体に対して閉じると、扉体側規制部が遊技盤側規制部と遊技盤との間に挿入される。扉体が閉じた状態にて、例えば遊技盤及び扉体（詳しくはパネル部材）の一方が他方から遠ざかる側に押される等した場合、扉体側規制部と遊技盤側規制部とが当接することで、遊技盤とパネル部材との隙間の拡がりが規制されることとなる。これにより、特徴Ｂ１等に示した構成を好適に実現することができる。
【０３００】
特徴Ｂ７．前記扉体は、前記枠体によって回動可能に支持されており、
前記遊技盤側規制部は、前記遊技盤において前記扉体の回動基端部寄りとなる位置に配置されており、
前記扉体側規制部は、前記扉体の回動基端部に配置されていることを特徴とするＢ６に記載の遊技機。
【０３０１】
特徴Ｂ６に示したように、扉体を遊技機本体に対して閉じることにより同扉体に設けられた扉体側規制部を遊技盤側規制部と遊技盤との間（隙間）に挿入するには、本特徴に示すように遊技盤において扉体の回動基端部寄りとなる位置に遊技盤側規制部を配置するととともに扉体の回動基端部に扉体側規制部を配置するとよい。これにより、上記隙間に扉体側規制部が挿入される際の同扉体側規制部の移動方向を遊技盤の前面と略平行とすることが可能となる。故に、例えば遊技盤側規制部と扉体側規制部との隙間を小さくしたり、それら両規制部の掛かり代（すなわち前後方向における重なり代）を大きくしたりすることができ、規制手段の規制機能を一層好適なものとすることができる。
【０３０２】
特徴Ｂ８．前記遊技盤には、その遊技盤の前面から前方へ起立して、前記遊技盤の前面に前記遊技領域及びその遊技領域へ遊技球を誘導する誘導部（誘導通路１０３）を区画形成する区画部（誘導レール１００）が設けられており、
前記区画部は、前記誘導部が前記遊技領域よりも前記扉体の回動基端部寄りとなるように構成されており、
前記遊技盤側規制部は、前記区画部における前記誘導部を区画形成している部分の前方に配されていることを特徴とするＢ７に記載の遊技機。
【０３０３】
特徴Ｂ１等に示したように、規制手段によって遊技盤とパネル部材との隙間の変化を規制する場合、同規制手段をなるべく遊技領域に近づけて配置することが好ましい。しかしながら、遊技領域に規制手段を配置すると、遊技とは関連のない構成によって遊技領域が圧迫されるため好ましくない。また、特徴Ｂ７に示したように、規制機能の向上を図った場合には、扉体側規制部が遊技盤と遊技盤側規制部との間に挿入される際に、遊技盤の前面と略平行に移動することとなる。扉体側規制部の移動経路との干渉を回避すべく区画部を小さくすることは、遊技領域の拡張等を妨げる要因となり得るため好ましくない。
【０３０４】
この点、本特徴によれば、扉体側規制部が区画部における誘導部を区画形成している部分の前方にて上記隙間に挿入されるため遊技領域の圧迫を抑制することができる。つまり、遊技盤の前面側にて区画部と遊技盤側規制手段とを好適に共存させつつ、規制機能を好適なものとすることができる。
【０３０５】
特徴Ｂ９．前記扉体側規制部は、前記遊技盤と対向する板状をなしているとともに、当該扉体側規制部において前記遊技盤側を向いた板面が前記パネル部材において同遊技盤側を向いている板面と略同一平面上に位置するように形成されており、
前記誘導部は、前記パネル部材及び前記扉体側規制部によって覆われていることを特徴とするＢ８に記載の遊技機。
【０３０６】
特徴Ｂ９によれば、誘導部と遊技盤側規制部との間に扉体側規制部を介在させるとともに、その扉体側規制部とパネル部材とを面一とすることで誘導部を通過する遊技球の挙動の安定化に貢献できる。
【０３０７】
例えば、誘導部をパネル部材と遊技盤側規制部とによって前方から覆う構成とすることも可能ではあるが、パネル部材が扉体側に設けられているとともに遊技盤側規制部が遊技機本体側に設けられているため、それらパネル部材と遊技盤側規制部との間には隙間や段差が生じやすくなると想定される。このため、誘導部によって誘導されている遊技球の挙動がこれら隙間や段差等を通過する際に乱れて、安定した遊技球の誘導が困難となり得る。この点、上述の如く、面一となるように設けられた扉体側規制部とパネル部材とによって誘導部を覆う構成とすれば、そのような不都合を払拭し、実用上好ましい構成を実現できる。
【０３０８】
特徴Ｂ１０．前記遊技盤は、
その遊技盤の前面から前方へ起立して、前記遊技盤の前面に前記遊技領域及びその遊技領域へ遊技球を誘導する誘導部（誘導通路１０３）を区画形成する区画部（誘導レール１００）と、
前記区画部において前記誘導部を区画形成している部分を遊技機前方から覆うカバー部（レールカバー４００）と
を有し、
前記規制手段は、
前記カバー部において前記遊技盤と対向している部分に設けられた遊技盤側規制部（対向部４５０）と、
前記扉体側に設けられ、同扉体が前記遊技機本体に対して閉じた位置へ移動することにより、前記遊技盤側規制部と前記遊技盤との間に挿入される扉体側規制部（延出部３９）と
を有しており、
前記扉体側規制部は、前記遊技盤と対向する板状をなし、その遊技盤側を向いた板面が前記パネル部材において同遊技盤側を向いている板面と略同一平面上に位置するように形成されており、
前記誘導部は、前記パネル部材及び前記扉体側規制部によって覆われていることを特徴とするＢ１乃至Ｂ５のいずれか１つに記載の遊技機。
【０３０９】
特徴Ｂ１０によれば、区画部には遊技領域へ遊技球を誘導する機能が付与されている。このように遊技球の動きに影響を与える部分をカバー部によって遊技機前方から覆うことにより、区画部を保護し、誘導機能を担保することができる。すなわち、遊技盤装着時等に区画部が扉体や枠体等に衝突し誘導機能が低下することを抑制できる。
【０３１０】
このようにカバー部が保護機能を有する構成においては、同カバー部にある程度の強度を付与することが望ましく、このように強度が確保されている構成に遊技盤側規制部を設けることで実用上好ましい構成を実現できる。特に、扉体側規制部が区画部における誘導部を区画形成している部分の前方にて遊技盤側規制部と遊技盤との間に挿入されるため遊技領域の圧迫を抑制することができる。つまり、遊技盤の前面側にて区画部と遊技盤側規制部とを好適に共存させつつ、規制機能を好適なものとすることができる。
【０３１１】
また、本特徴によれば、誘導部と遊技盤側規制部との間に扉体側規制部を介在させるとともに、その扉体側規制部とパネル部材とを面一とすることで誘導部を通過する遊技球の挙動の安定化に貢献できる。例えば、誘導部をパネル部材と遊技盤側規制部とによって前方から覆う構成とすることも可能ではあるが、パネル部材が扉体側に設けられているとともに遊技盤側規制部が遊技機本体側に設けられているため、それらパネル部材と遊技盤側規制部との間には隙間や段差が生じやすいと想定される。このため、誘導部によって誘導されている遊技球の挙動がこれら隙間や段差等を通過する際に乱れて安定した遊技球の誘導が困難となり得る。この点、上述の如く、面一となるように設けられた扉体側規制部とパネル部材とによって誘導部を覆う構成とすれば、そのような不都合を払拭し、実用上好ましい構成を実現できる。
【０３１２】
特徴Ｂ１１．前記扉体は、前記枠体によって回動可能に支持されており、
前記枠体は、前記扉体を支持している側と同一側に設けられ、前記遊技盤の一側部が挿入される挿入部（挿入部２９０）を備え、
前記遊技盤は、前記挿入部に挿入された状態で当該挿入部を中心として回動されることにより前記枠体に対して着脱されるものであり、
前記カバー部は、
前記遊技盤の前面に平行となるように形成され、同遊技盤に固定されているベース部（ベース部４１０）と、
前記ベース部から起立するとともに、前記区画部を前記挿入部側から覆う起立部（起立部４２０）と
を有し、
前記遊技盤側規制部は、前記ベース部の先端部から前記区画部側に延びていることを特徴とするＢ１０に記載の遊技機。
【０３１３】
特徴Ｂ１１に示すように、遊技盤を挿入部に対して挿入する構成においては、同挿入部に挿入される遊技盤の一側部にて区画部と枠体や扉体との衝突が発生しやすいと想定される。そこで、カバー部により区画部において挿入部側となる部位を同挿入部側から覆う起立部を設け、ベース部，起立部，遊技盤側規制部によって区画部を囲むことにより、カバー部による区画部の保護機能を好適に向上できる、上記不都合を好適に払拭することができる。
【０３１４】
特徴Ｂ１２．前記区画部は、内外二重に設けられた内レール（内レール１０１）及び外レール（外レール１０２）を有しているとともに、それら内レール及び外レールが遊技球の通過を許容する隙間を隔てて対向している部分によって前記誘導部を区画形成しており、更には前記誘導部が前記遊技領域よりも前記遊技盤の回動基端側となるように構成されており、
それら内レール及び外レールは、前記遊技領域の外方に凸となる湾曲状に形成されており、
前記起立部は、前記外レールに沿って湾曲する湾曲部（湾曲部４２１）を有しており、
前記遊技盤側規制部は、前記湾曲部に形成されていることを特徴とするＢ１１に記載の遊技機。
【０３１５】
特徴Ｂ１２によれば、起立部において外レールの外壁と対抗している部分（湾曲部）は、扉体の遊技領域とは反対側へ凸となるように湾曲しているため、遊技領域とは反対側から枠体等が当たった場合であってもカバー部の変形を好適に抑えることができる。また、湾曲部はベース部及び遊技盤側規制部と一体的に形成されており、湾曲部の変形をそれらベース部や遊技盤側規制部等によって抑えることができ、カバー部全体としての強度を向上できる。
【０３１６】
また、湾曲部に遊技側規制部を形成することにより、単なる平板に遊技盤側規制部を形成する場合と比べて同遊技盤側規制部の変形を好適に抑制することができる。これにより、規制機能を向上し、遊技盤とパネル部材との隙間の変化を好適に抑えることができる。
【０３１７】
特徴Ｂ１３．前記カバー部は、前記遊技盤と共に前記挿入部に挿入され、同挿入部の内壁面に対して前記扉体とは反対側から対向するように形成されていることを特徴とするＢ１０乃至Ｂ１２のいずれか１つに記載の遊技機。
【０３１８】
例えば遊技盤側規制部と扉体側規制部とが当接した状態にて扉体が遊技機本体から浮き上がった場合には、遊技盤側規制部が扉体側規制部によって遊技機前方に押されることとなる。この際、仮にカバー部が扉体側規制部に追従して遊技盤から浮き上がる（例えば変形すると）と、遊技盤とパネル部材との隙間の変化を規制することが難しくなる。この点、本特徴によれば、カバー部の一部が挿入部の内壁面に対して扉体とは反対側から当接するため、同カバー部の浮き上がりを挿入部（枠体）によって抑えることができる。これにより、規制手段の機能担保に貢献できる。
【０３１９】
特徴Ｂ１１又はＢ１２の組み合わせにおいては特に、ベース部が挿入部の内壁面に対して扉体とは反対側から対向するように形成するとよい。
【０３２０】
特徴Ｂ１４．前記扉体は、
扉枠（枠体２０）と、
前記パネル部材及び同パネル部材を保持するパネルホルダ（ガラスホルダ３３）を有してなり、前記扉枠に搭載されているパネルユニット（ガラスユニット３０）と
を備え、
前記扉体側規制部は、前記パネルホルダに配設されていることを特徴とするＢ６乃至Ｂ１３のいずれか１つに記載の遊技機。
【０３２１】
例えば扉枠にパネル部材を直接取り付ける構成においては、扉体側規制部を扉枠に形成することも可能である。しかしながらこの場合、扉体の遊技機本体からの浮き上がりに起因して両規制部に加わった外力が、扉体側規制部や遊技盤側規制部の強度を上回ると、それら規制部が変形等し、規制機能が損なわれる低下すると想定される。この点、パネルユニットを扉枠によって保持する構成とした場合、各規制部の強度よりもパネルユニットの保持強度を低く設定しておくことが可能となり、各規制部の変形等を回避することができる。つまり、各規制部が変形する前にパネルユニットを変位又は変形させることで、隙間の拡がりを規制している状態を維持することが可能となる。これにより、上記隙間の変化を好適に抑制することができる。
【０３２２】
例えば、パネルユニットが扉枠に対して変位可能な状態で同扉枠により保持される構成を採用するとよい。
【０３２３】
特徴Ｂ１５．前記遊技盤は、前記枠体に対して遊技機前方から着脱可能となっており、
前記規制手段による規制は、前記扉体を開放することにより解除されることを特徴とするＢ１乃至Ｂ１４のいずれか１つに記載の遊技機。
【０３２４】
特徴Ｂ１５によれば、遊技盤を取り外す際には、必ず扉体を開放する必要が生じ、扉体を開放することで、上記規制が解除される。これにより、作業手順を明確化し、規制が解除されていない状態で遊技盤が無理やり取り外されるといった不都合を回避することができる。
【０３２５】
特徴Ｃ１．遊技盤（遊技盤８０）と、
前記遊技盤を着脱可能に支持する支持枠（内枠１３の樹脂ベース７０）と、
前記支持枠に設けられ、前記遊技盤の一側部が挿入される挿入部（挿入部２９０）と
を備え、
前記遊技盤が前記挿入部に挿入された状態にて当該挿入部を中心として回動されることにより前記支持枠に対して遊技機前方から装着される遊技機であって、
前記遊技盤の回動を許容するとともに、少なくとも前記遊技盤が装着完了位置に向けて回動されている場合に前記挿入部からの前記遊技盤の離脱を阻止する阻止手段（樹脂ベース７０の受け部２７５及び遊技盤８０の突起４３１）を備えていることを特徴とする遊技機。
【０３２６】
特徴Ｃ１によれば、支持枠の挿入部に遊技盤の一側部を挿入し、同遊技盤をその挿入部を中心として回動させることにより、支持枠に対する装着完了位置に遊技盤を配置することができる。このように遊技盤を装着する場合には、詳しくは少なくとも遊技盤を装着完了位置に向けて回動させている場合には、挿入部からの同遊技盤の離脱が阻止されることとなる。故に、遊技盤を回動させる過程にて同遊技盤が挿入部から外れることを抑制し、遊技盤の装着作業の容易化に貢献することができる。
【０３２７】
特徴Ｃ２．前記阻止手段は、
前記遊技盤の回動基端部に設けられた遊技盤側係合部（突起４３１）と、
前記支持枠に設けられ、前記遊技盤が前記挿入部に挿入されることで前記遊技盤側係合部に係合する支持枠側係合部（受け部２７５）と
を備えていることを特徴とするＣ１に記載の遊技機。
【０３２８】
特徴Ｃ２によれば、遊技盤の回動基端部に遊技盤側係合部を設け、同遊技盤側係合部と支持枠側係合部とが係合する構成とすることにより、遊技盤の回動を許容しつつ同遊技盤の挿入部からの離脱を阻止することができ、特徴Ｃ１に示した構成を好適に実現することができる。
【０３２９】
また、例えば阻止手段として軸ピン及び軸受けを採用し、軸ピンの軸線方向にて遊技盤をスライド移動させることにより、軸ピン及び軸受けを係合させることも可能であるが、このような構成を採用した場合、遊技盤を挿入部へ挿入する操作と、軸ピンを軸受けに挿通させる操作とを個別に行う必要が生じるため、遊技盤の装着作業が煩雑なものとなり得る。特に、挿通時には、遊技盤を抱えたまま軸ピンと軸受けとの位置を合わせる必要が生じるため作業負担が大きくなると想定される。この点、本特徴に示すように、遊技盤を挿入部に挿入することで遊技盤側係合部と支持枠側係合部とが係合する構成とすれば、阻止手段を有する構成を採用することで特徴Ｃ１に示した効果を享受しつつ、それに起因した作業負担の増加を抑制することができる。
【０３３０】
例えば、遊技盤側係合部が支持枠側係合部に対して挿入部への挿入方向先側から引っ掛かる構成を採用すればよい。これにより、挿入方向手前側への遊技盤の変位を抑えることができる。
【０３３１】
特徴Ｃ３．前記挿入部は、前記支持枠の左右両端部のうち一方側に配されているとともに、他方側に向けて開放されており、
前記支持枠において前記挿入部が配されている側と同一側の端部に設けられ、少なくとも前記遊技盤の前記挿入部からの離脱が阻止されている場合に、前記遊技盤の回動基端部が載置される載置部（仮置き部１２５）を備えていることを特徴とするＣ２に記載の遊技機。
【０３３２】
特徴Ｃ３によれば、遊技盤を載置部によって支えることにより、阻止手段（詳しくは遊技盤側係合部や支持枠側係合部）に生じる負荷を低減することができる。つまり、阻止手段によって遊技盤の全重量を受ける必要がなく、阻止手段の簡素化に貢献できる。
【０３３３】
例えば、遊技盤の前面側に阻止手段を配する場合、周辺部品等との共存を考慮すると阻止手段の占有領域が制限されやすくなると想定される。この点、阻止手段の強度向上を抑える同阻止手段を簡素化可能となれば、上記占有領域を減縮し、実用上好ましい構成の実現に貢献することができる。
【０３３４】
特徴Ｃ４．前記載置部は、前記挿入部が開放されている側に延び、当該載置部に載置されている状態での前記挿入部の奥側へ向けての前記遊技盤の移動を許容しているとともに、前記遊技盤において前記支持枠側係合部よりも当該遊技盤の回動先端寄りとなる部位を支えるように形成されていることを特徴とするＣ３に記載の遊技機。
【０３３５】
特徴Ｃ４によれば、載置部によって支持枠側係合部よりも回動先端寄りとなる部位を支える構成とすることにより、阻止手段（詳しくは遊技盤側係合部や支持枠側係合部）に生じる負荷を好適に低減することが可能となり、特徴Ｃ３に示した阻止手段の保護機能を一層好適なものとすることができる。
【０３３６】
また、載置部は挿入部が開放されている側に延びていることにより、遊技盤を挿入部に挿入する前の段階にて同遊技盤を載置部に載せることができる。つまり、遊技盤を載置部に沿って移動させることにより挿入部へ挿入させることができ、遊技盤を抱えたまま挿入部へ挿入する必要がなくなる。これにより、挿入操作の容易化に貢献することができる。
【０３３７】
特徴Ｃ５．前記載置部は前記遊技盤の下端寄りに配されているとともに、前記阻止手段は前記遊技盤の上端寄りに配されていることを特徴とするＣ３又はＣ４に記載の遊技機。
【０３３８】
特徴Ｃ３等に示したように遊技盤を載置部に載せることで阻止手段に生じる負荷を低減する構成においては、遊技盤が載置部から脱落等することにより、阻止手段に生じる負担が増大すると想定される。この点、本特徴においては、載置部を阻止手段（例えば支持枠側係合部）よりも下側に配している。これにより、仮に遊技盤の回動先端部分が下方に変位するようにして同遊技盤が傾倒した場合であっても、遊技盤において載置部に載っている部分が同載置部から遠ざかる側に変位することを抑制することができる。故に、遊技盤が載置部から脱落することを抑制し、阻止手段を好適に保護することができる。
【０３３９】
また、載置部を遊技盤の下端寄り、阻止手段を遊技盤の上端寄りに配することにより、遊技盤の保持バランスを向上させ、遊技盤を回動させる際の作業の円滑化を促進できる。
【０３４０】
特徴Ｃ６．前記載置部と前記阻止手段との間に前記挿入部が配されていることを特徴とするＣ５に記載の遊技機。
【０３４１】
特徴Ｃ６によれば、特徴Ｃ５に示した保持バランスを一層好適なものとすることができ、回動操作時の遊技盤の安定性を向上させることができる。
【０３４２】
特徴Ｃ７．前記遊技盤側係合部と前記支持枠側係合部とは、前記遊技盤が前記載置部に載置され、それら遊技盤側係合部及び支持枠側係合部が係合している状態において、前記遊技盤側係合部が前記挿入部への挿入方向先側から前記支持枠側係合部に対して対向するとともに、同遊技盤側係合部が前記支持枠に対して上方から当接しないように形成されていることを特徴とするＣ５又はＣ６に記載の遊技機。
【０３４３】
特徴Ｃ７によれば、遊技盤側係合部が支持枠側係合部に対して挿入方向先側から当接することにより上述した遊技盤の離脱が阻止されることとなる。遊技盤側係合部は支持枠に対して上方から当接しないように形成されているため、阻止手段（遊技盤側係合部及び支持枠側係合部）に対して遊技盤の自重負荷が加わることを抑制することができる。これにより、阻止手段を保護し、同阻止手段の機能保全に貢献することができる。
【０３４４】
特徴Ｃ８．前記遊技盤側係合部は前記支持枠側係合部よりも上側に配されており、
前記遊技盤側係合部及び前記支持枠側係合部は、前記遊技盤が前記載置部から離間するようにして上方へ移動することにより、両者の係合が解除されるように構成されていることを特徴とするＣ５乃至Ｃ７のいずれか１つに記載の遊技機。
【０３４５】
特徴Ｃ８によれば、遊技盤を支持枠から取り外す際には、同遊技盤を上方に持ち上げることにより遊技盤側係合部が支持枠側係合部から遠ざかる側に変位し、両係合部の係合が解除される。
【０３４６】
このように、遊技盤を載置部に載せている場合には両係合部の係合状態が維持され、遊技盤を載置部から持ち上げることにより同係合状態が解除される構成とすることにより、遊技盤の着脱作業の容易化に貢献することができる。
【０３４７】
特徴Ｃ９．前記遊技盤側係合部は、前記遊技盤の前面側に配されていることを特徴とするＣ２乃至Ｃ７のいずれか１つに記載の遊技機。
【０３４８】
遊技盤側係合と支持枠側係合部とを有する構成においては、両者に若干の遊びを設定することにより、遊技盤の挿入方向のばらつき（作業ばらつき）を好適に許容することができ、遊技盤の挿入操作が係合部によって妨げられることを抑制することができる。しかしながら、このような遊びが過度に大きくなった場合には、上記効果を享受できる反面、遊技盤の回動安定性が低下する要因となり得るため好ましくない。
【０３４９】
この点、本特徴によれば、遊技盤側係合部を遊技盤の前面側に配することにより、遊技盤を回動させる際の遊技盤側係合部の変位量を、同遊技盤側係合部を遊技盤の背面側に配する構成と比較して小さくすることが可能となる。つまり、上述した遊びが過度に大きくなることを抑制でき、実用上好ましい構成を実現できる。
【０３５０】
また、遊技盤を支持枠に対して遊技機前方から取り付ける構成においては、遊技盤側係合部を遊技盤の前面側に配することにより、遊技盤を挿入する際の遊技盤側係合部の移動先（例えば支持枠側係合部に向かっているか否か）を目視によって確認しやすくし、遊技盤装着作業の確実性向上に貢献することができる。
【０３５１】
特徴Ｃ１０．前記挿入部は、前記支持枠の左右両端部のうち一方側に配されているとともに、他方側に向けて開放されており、
前記遊技盤の前面から前方へ起立しているとともに、前記挿入部側に凸となる円弧状をなしており、前記遊技盤の前面に遊技領域（遊技領域ＰＥ）及びその遊技領域へ遊技球を誘導する誘導部（誘導通路１０３）を区画形成する区画部（誘導レール１００）と、
前記支持枠に設けられているとともに、前記区画部の凸となっている部分よりも下側に配され、前記遊技盤が前記挿入部に挿入されている状態にて、同遊技盤を載置可能な載置部（仮置き部１２５）と
を備え、
前記遊技盤側係合部は、前記遊技盤の前面側において前記区画部の前記凸となっている部分を挟んで前記載置部とは反対側となる位置に配されていることを特徴とするＣ９に記載の遊技機。
【０３５２】
特徴Ｃ１０によれば、遊技盤の前面側には区画部によって遊技領域や誘導部が区画形成されている。つまり、遊技盤の前面側には上記遊技盤側係合部のみならず遊技領域や誘導部が配設されている。近年では遊技領域の拡張に伴い区画部が遊技盤の縁部に近づけて配設されることが多く、遊技盤における挿入部側の縁部と区画部との間に遊技盤の装着に関する構成（例えば阻止手段や載置部）の設置領域を広く確保することは遊技領域の拡張を妨げる要因となり得るため好ましくない。
【０３５３】
この点、本特徴においては、区画部の凸となっている部分よりも下側に載置部を配するとともに、その凸となっている部分を挟んで載置部とは反対側に遊技盤側係合部を配することにより、区画部（すなわち遊技領域や通路部）と遊技盤側係合部及び載置部とを好適に共存させることが可能となり、上述した遊技領域の拡張を促進しつつ、遊技盤の装着作業の容易化に貢献することができる。
【０３５４】
なお、上記特徴Ｃ３等との組み合わせにおいては特に、それら特徴Ｃ３等に示した「載置部」と、本特徴に示す「載置部」とを同一のものとすることも可能である。
【０３５５】
特徴Ｃ１１．前記支持枠を遊技機前方から覆うとともに、同遊技機本体に対して開閉可能な扉体（前扉枠１４）を備え、
前記挿入部は、前記支持枠において前記扉体が支持されている側と同じ側に設けられていることを特徴とするＣ２乃至Ｃ１０のいずれか１つに記載の遊技機。
【０３５６】
特徴Ｃ１１によれば、扉体の回動基端側に挿入部を配することにより、遊技盤を装着する際の扉体の開放量を小さくすることができる。これにより、例えば遊技機を遊技ホール等に設置している状態にてメンテンナンスを行う際に、隣接して配置されている遊技機での遊技を妨げにくくすることができる。
【０３５７】
特徴Ｃ１に示したように、挿入部からの遊技盤の脱落を阻止するには、阻止手段として、例えば軸ピン及び軸受け孔を採用し、軸ピンの軸線方向へ遊技盤を移動させることにより当該軸ピンを軸受け孔に挿通させ、挿入部からの遊技盤の離脱を阻止する構成とするこも可能である。このような構成においては、遊技盤において阻止手段が設けられている部分の周辺を把持することにより上述した挿通作業の容易化を図ることができる。
【０３５８】
しかしながら、上述の如く扉体の回動基端側に挿入部を配している場合には、上述の如く把持位置を工夫し挿通作業を容易に行おうとすれば、遊技盤を把持している手が扉体に干渉しやすくなると想定される。このような干渉を回避すべく扉体を大きく開放すれることは周辺の遊技機での遊技を妨げる要因となり得るため、必然的に遊技盤において把持できる箇所は、挿入部側の端部とは反対側（すなわち回動先端側）に制限されやすいと考えられる。つまり、軸ピンから遠い位置にて遊技盤を把持する必要が生じ得る。これは上記挿通作業を困難にするとともに作業負担を増大させる要因となり得るため好ましくない。
【０３５９】
この点、特徴Ｃ２等に示した構成、すなわち挿入部へ遊技盤を挿入することにより、両係合部が係合される構成との組み合わせにおいては、それら各種不都合を好適に払拭することができる。つまり、隣接する遊技機との関係を考慮して扉体の開放量を小さく抑えつつ、遊技盤における挿入部とは反対側を把持した状態での作業（すなわち両係合部を係合状態に移行する作業）を容易に行うことができ、実用上好ましい構成を実現できる。
【０３６０】
特徴Ｃ１２．前記遊技盤の前面から前方へ起立しているとともに、前記挿入部側に凸となる円弧状をなしており、前記遊技盤の前面に遊技領域（遊技領域ＰＥ）及びその遊技領域へ遊技球を誘導する誘導部（誘導通路１０３）を区画形成する区画部（誘導レール１００）と、
前記遊技盤に設けられ、少なくとも前記区画部の前記凸となっている部分を前記挿入部側から覆うカバー部（レールカバー４００）と
を備え、
前記遊技盤側係合部は、前記カバー部に配設されていることを特徴とするＣ２乃至Ｃ１１のいずれか１つに記載の遊技機。
【０３６１】
特徴Ｃ１２によれば、区画部において挿入部側に凸となっている部分がカバー部によって挿入部側から覆われている。挿入部を有する構成においては、同挿入部へと挿入される遊技盤の一側部が、遊技盤装着作業時に支持枠等に対して衝突しやすいと想定される。特に、区画部は遊技盤の前面から起立しており、遊技領域を区画しているため、遊技領域に配された他の構成（例えば釘８７）と比較して衝突の対象になりやすいと想定される。区画部は、遊技球を遊技領域へと誘導する機能を有しているため、上記衝突によって変形等することは好ましくない。そこで、この区画部をカバー部によって覆うことにより、そのような不都合の発生を抑えることができる。
【０３６２】
カバー部は、区画部を保護する機能を有しており、支持枠等との衝突に耐え得る程度の強度を付与することが望ましい。このように強度が要求される構成に対して遊技盤側係合部を配設することにより、遊技盤前面側での限られたスペースにて遊技領域及び通路部と阻止手段（遊技盤側係合部）及びカバー部とを好適に共存させることができる。
【０３６３】
なお、特徴Ｃ１０との組み合わせにおいては特に、同特徴Ｃ１０に示した「区画部」と本特徴に示す「区画部」とを同一のものとすることも可能である。
【０３６４】
特徴Ｃ１３．前記カバー部は、
前記遊技盤の前面に平行となるように形成され、同遊技盤に固定されているベース部（ベース部４１０）と、
前記ベース部から起立するとともに、前記区画部に前記挿入部側から対向する対向部（起立部４２０）と
を有し、
前記遊技盤側係合部は、前記対向部から前記挿入部側に起立しているとともに、その付け根部分を基端として撓み変形することにより、前記支持枠側係合部との係合状態へと移行されることを特徴とするＣ１２に記載の遊技機。
【０３６５】
特徴Ｃ１３によれば、遊技盤の一側部を挿入部へ挿入すると、遊技盤側係合部が対向部側の付け根部分を基端として撓み変形性、支持枠側係合部との係合状態へと移行される。特に、遊技盤側係合部は遊技盤に固定されているベース部から起立しているのではなく、対向部から挿入部側に起立している。これにより、遊技盤係合部の撓み変形を円滑なものとし、係合状態への移行時にカバー部に加わる負荷を低減している。また、遊技盤係合部からの伝わる負荷を対向部を経由してベース部に伝えることで、カバー部における負荷の分散効率を高めている。故に、阻止手段（遊技盤側係合部）の占有領域の拡大を抑え、限られた領域において阻止手段とカバー部とを好適に共存させることができる。
【０３６６】
特徴Ｃ１４．前記カバー部は透明性を有しており、当該カバー部を通じて前記挿入部及び前記阻止手段が視認可能となるように形成されていることを特徴とするＣ１２又はＣ１３に記載の遊技機。
【０３６７】
特徴Ｃ１４によれば、カバー部によって挿入部や阻止手段が遮蔽されることがない。故に、カバー部を採用したために挿入部への遊技盤の挿入が難しくなったり、阻止手段の状態把握が難しくなったりすることを好適に抑制できる。
【０３６８】
上記特徴Ｃ群は以下の課題に対して適用すると効果的である。
【０３６９】
パチンコ機等の遊技機には、遊技領域が形成された遊技盤を枠体に搭載してなる遊技機本体と、遊技機本体の前面側に取り付けられた扉体とを備えているものがあり、同扉体に配設された透明パネルを介して遊技領域が視認可能となっている。遊技領域には入賞口や入賞装置等の各種構成が設けられている。遊技者により遊技球発射ハンドルが操作されると遊技球が遊技領域に向けて発射され、それら遊技球が入賞口や入賞装置等に入賞した場合には予め設定された個数の遊技球が払い出される。
【０３７０】
一般的に、このような遊技機においては遊技盤が枠体に対して着脱可能に取り付けられており、遊技盤の着脱を可能とすることで遊技盤等のメンテナンス作業の容易化や機種変更時における同遊技盤の入替作業の容易化が図られている。特に、近年では遊技盤を枠体の前方から着脱可能とする遊技機が提案されており、上述した遊技盤着脱作業の更なる容易化が図られている。
【０３７１】
しかしながら、遊技盤を枠体の前方から取り付けるタイプの遊技機においては、遊技盤の取付容易性や取付安定性等、未だ改善の余地がある。
【０３７２】
以下に、以上の各特徴を適用し得る遊技機の基本構成を示す。
【０３７３】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（誘導レール１００）と、遊技領域内に配置された各遊技部品（釘８７等）とを備え、それら各遊技部品のうち所定の通過部（一般入賞口８１等）を遊技球が通過した場合に遊技者に特典を付与する遊技機。
【符号の説明】
【０３７４】
１０…遊技機としてのパチンコ機、１３…遊技機本体としての内枠、１４…扉体としての前扉枠、２０…扉枠としての枠体、２１…窓部、３０…パネルユニットとしてのガラスユニット、３２…パネル部材としてのガラスパネル、３３…パネルホルダとしてのガラスホルダ、３９…規制手段を構成する延出部、７０…支持枠としての樹脂ベース、７１，７２…支持部としての支持金具、７３…遊技盤収容部、８０…遊技盤、１００…区画部としての誘導レール、１０１…内レール、１０２…外レール、１０２ａ…頂部、１０３…誘導部としての誘導通路、１１０…発射装置としての遊技球発射機構、２５１…対向板部、２７１…ストッパ部、２７５…阻止手段を構成する受け部、２９０…挿入部、３５０…カバー部としての第１レールカバー、４００…カバー部としての第２レールカバー、４１０…ベース部、４２０…起立部、４２１…湾曲部、４３０…アーム部、４３１…阻止手段を構成する突起４３１、４５０…規制手段を構成する対向部、４５１…第１対向部、４５２，４５３…第２対向部、ＰＥ…遊技領域。
【図１】
0005487765.tif 000002
【図２】
0005487765.tif 000003
【図３】
0005487765.tif 000004
【図４】
0005487765.tif 000005
【図５】
0005487765.tif 000006
【図６】
0005487765.tif 000007
【図７】
0005487765.tif 000008
【図８】
0005487765.tif 000009
【図９】
0005487765.tif 000010
【図１０】
0005487765.tif 000011
【図１１】
0005487765.tif 000012
【図１２】
0005487765.tif 000013
【図１３】
0005487765.tif 000014
【図１４】
0005487765.tif 000015
【図１５】
0005487765.tif 000016
【図１６】
0005487765.tif 000017
【図１７】
0005487765.tif 000018
【図１８】
0005487765.tif 000019
【図１９】
0005487765.tif 000020
【図２０】
0005487765.tif 000021
【図２１】
0005487765.tif 000022
【図２２】
0005487765.tif 000023
【図２３】
0005487765.tif 000024